(57)【特許請求の範囲】
【請求項１】
ワイヤレス通信の方法であって、
第１のノードにおいて、第２のノードにおける前記第１のノードによる干渉を低減させる要求を示すメッセージを受信することと、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算することと、
前記ＲＦ距離としきい値とを比較することと、
前記比較の結果に基づいて、前記１つまたは複数のリソース上の前記第１のノードに関する送信パワーを決定することと、
を備える方法。
【請求項２】
前記送信パワーはゼロである、請求項１に記載の方法。
【請求項３】
前記１つまたは複数のリソースは、少なくとも１つのチャネルを備える、請求項１に記載の方法。
【請求項４】
前記１つまたは複数のリソースは、１つまたは複数のサブキャリアを備える、請求項１に記載の方法。
【請求項５】
前記１つまたは複数のリソースは、１つまたは複数の時間スロットを備える、請求項１に記載の方法。
【請求項６】
前記メッセージは、前記第２のノードの重みをさらに指定する、請求項１に記載の方法。
【請求項７】
前記重みは、前記第２のノードの不利の程度と関連づけられる、請求項６に記載の方法。
【請求項８】
前記不利の程度は、前記第２のノードのスループット、前記第２のノードによって直面されるレイテンシ、前記第２のノードのデータレート、および前記第２のノードのスペクトル効率、から成るグループのうちの少なくとも１つの関数である、請求項７に記載の方法。
【請求項９】
前記送信パワーの前記決定は、前記第２のノードの前記重みと前記第１のノードの重みとを比較することを備える、請求項６に記載の方法。
【請求項１０】
前記メッセージは、前記第２のノードにおけるターゲット干渉レベルをさらに指定する、請求項１に記載の方法。
【請求項１１】
前記送信パワーの前記決定は、前記第２のノードにおける前記ターゲット干渉レベルに基づいて送信パワーを選択することを備える、請求項１０に記載の方法。
【請求項１２】
前記メッセージは、前記第２のノードによって経験される現在の干渉レベルに対する干渉レベルのターゲット低減をさらに指定する、請求項１に記載の方法。
【請求項１３】
前記送信パワーの前記決定は、前記第２のノードにおける前記干渉レベルのターゲット低減に基づいて送信パワーを選択することを備える、請求項１２に記載の方法。
【請求項１４】
前記第１のノードはアクセス端末であり、前記第２のノードはアクセスポイントである、請求項１に記載の方法。
【請求項１５】
前記第１のノードはアクセスポイントであり、前記第２のノードはアクセス端末である、請求項１に記載の方法。
【請求項１６】
前記メッセージは、前記第２のノードによって送信される、請求項１に記載の方法。
【請求項１７】
前記メッセージは、第３のノードによって送信され、さらに、前記第１および第３のノードは、アクセスポイントであり、前記第２のノードはアクセス端末である、請求項１に記載の方法。
【請求項１８】
装置であって、
ノードにおける前記装置による干渉を低減させる要求を示すメッセージを受信するように構成された受信機と、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算し、
前記ＲＦ距離としきい値とを比較し、
前記比較の結果に基づいて、前記１つまたは複数のリソース上の前記装置に関する送信パワーを決定する
ように構成されたプロセッサと、
を備える装置。
【請求項１９】
前記送信パワーはゼロである、請求項１８に記載の装置。
【請求項２０】
前記１つまたは複数のリソースは、少なくとも１つのチャネルを備える、請求項１８に記載の装置。
【請求項２１】
前記１つまたは複数のリソースは、１つまたは複数のサブキャリアを備える、請求項１８に記載の装置。
【請求項２２】
前記１つまたは複数のリソースは、１つまたは複数の時間スロットを備える、請求項１８に記載の装置。
【請求項２３】
前記メッセージは、前記ノードの重みをさらに指定する、請求項１８に記載の装置。
【請求項２４】
前記重みは、前記ノードの不利の程度と関連づけられる、請求項２３に記載の装置。
【請求項２５】
前記不利の程度は、前記ノードのスループット、前記ノードによって経験されるレイテンシ、前記ノードのデータレート、および前記ノードのスペクトル効率、から成るグループのうちの少なくとも１つの関数である、請求項２４に記載の装置。
【請求項２６】
前記送信パワーの前記決定は、前記ノードの前記重みと前記装置の重みとを比較することを備える、請求項２３に記載の装置。
【請求項２７】
前記メッセージは、前記ノードにおけるターゲット干渉レベルをさらに指定する、請求項１８に記載の装置。
【請求項２８】
前記送信パワーの前記決定は、前記ノードにおける前記ターゲット干渉レベルに基づいて送信パワーを選択することを備える、請求項２７に記載の装置。
【請求項２９】
前記メッセージは、前記ノードによって経験される現在の干渉レベルに対する干渉レベルのターゲット低減をさらに指定する、請求項１８に記載の装置。
【請求項３０】
前記送信パワーの前記決定は、前記ノードにおける前記干渉レベルのターゲット低減に基づいて送信パワーを選択することを備える、請求項２９に記載の装置。
【請求項３１】
前記装置はアクセス端末であり、前記ノードはアクセスポイントである、請求項１８に記載の装置。
【請求項３２】
前記装置はアクセスポイントであり、前記ノードはアクセス端末である、請求項１８に記載の装置。
【請求項３３】
前記メッセージは、前記ノードによって送信される、請求項１８に記載の装置。
【請求項３４】
前記メッセージは、別のノードによって送信され、さらに、前記装置および前記別のノードは、アクセスポイントであり、前記ノードはアクセス端末である、請求項１８に記載の装置。
【請求項３５】
命令郡をその上に符号化された非一時的コンピュータ読取り可能記録媒体であって、前記命令郡は、実行されたときにワイヤレス通信の方法を装置に実行させ、
前記方法は、
第１のノードにおいて、第２のノードにおける前記第１のノードによる干渉を低減させる要求を示すメッセージを受信することと、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算することと、
前記ＲＦ距離としきい値とを比較することと、
前記比較の結果に基づいて、前記１つまたは複数のリソース上の前記第１のノードに関する送信パワーを決定することと、
を備える、非一時的コンピュータ読取り可能記録媒体。
【請求項３６】
装置であって、
ノードにおける前記装置による干渉を低減させる要求を示すメッセージを受信するための手段と、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算するための手段と、
前記ＲＦ距離としきい値とを比較するための手段と、
前記比較の結果に基づいて、前記１つまたは複数のリソース上の前記装置に関する送信パワーを決定するための手段と、
を備える装置。
【請求項３７】
アクセスポイントであって、
アンテナと、
ノードにおける前記アクセスポイントによる干渉を低減させる要求を示すメッセージを、前記アンテナを介して受信するように構成された受信機と、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算し、
前記ＲＦ距離としきい値とを比較し、
前記比較の結果に基づいて、前記１つまたは複数のリソース上の前記アクセスポイントに関する送信パワーを決定する
ように構成されたプロセッサと、
を備えるアクセスポイント。
【請求項３８】
アクセス端末であって、
アンテナと、
ノードにおける前記アクセス端末による干渉を低減させる要求を示すメッセージを、前記アンテナを介して受信するように構成された受信機と、前記メッセージは、前記低減された干渉が要求される１つまたは複数のリソースを指定し、一定のパワースペクトル密度（ＰＳＤ）で送信される、
前記ＰＳＤに基づいて前記第１のノードと前記第２のノードとの間の無線周波数（ＲＦ）距離を計算し、
前記ＲＦ距離としきい値とを比較し、
前記比較の結果に基づいて、前記１つまたは複数のリソース上の前記アクセス端末に関する送信パワーを決定する
ように構成されたプロセッサと、
を備えるアクセス端末。
【請求項３９】
前記干渉が前記第１のノードによって少なくとも部分的に引き起こされることを決定することをさらに備え、前記送信パワーの前記決定は、前記干渉を低減させるために前記１つまたは複数のリソース上の前記送信パワーを低減させることを備える、請求項１に記載の方法。
【請求項４０】
前記プロセッサは、前記干渉が前記装置によって少なくとも部分的に引き起されるかどうかを決定するようにさらに構成され、
前記送信パワーの前記決定は、前記干渉を低減させるために前記１つまたは複数のリソース上の前記送信パワーを低減させることを備える、請求項１８に記載の装置。
【発明の詳細な説明】
【優先権の主張】
【０００１】
[３５Ｕ．Ｓ．Ｃ．§１１９の下における優先権の主張]
本願は、２００５年１０月２６日に出願された「リソース利用マスクを使用した、ワイヤレスチャネルの重み付けされた公平な配分(WEIGHTED FAIR SHARING OF A WIRELESS CHANNEL USING RESOURCE UTILIZATION MASKS)」という名称の米国仮出願第６０／７３０，６３１号、および、２００５年１０月２６日に出願された「一定のパワースペクトル密度（ＰＳＤ）で送信されるリソース利用マスクを使用した干渉管理(INTERFERENCE MANAGEMENT USING RESOURCE UTILIZATION MASKS SENT AS CONSTANT POWER SPECTRAL DENSITY (PSD))」という名称の米国仮出願第６０／７３０，７２７号、の利益を主張し、これらの両方共、参照によりここに組み込まれている。
【技術分野】
【０００２】
以下の説明は、一般にワイヤレス通信に関し、より具体的には、ワイヤレス通信環境において、干渉を低減させることと、スループットおよびチャネル品質を改善することに関する。
【背景技術】
【０００３】
ワイヤレス通信システムは、大多数の人々がそれで世界中で通信する、普及した手段になってきている。ワイヤレス通信デバイスは、消費者ニーズを満たすために、そして携帯性と便利さを改善するために、より小型に、そしてより強力になってきている。セルラ電話などのモバイルデバイスにおける処理パワーの増大は、ワイヤレスネットワーク伝送システムに対する需要の増大をもたらしてきている。そのようなシステムは、一般的に、その上で通信するセルラデバイスほど簡単にはアップデートされない。モバイルデバイス機能が拡充するにつれ、新しい改善されたワイヤレスデバイス機能を十分に活用することを容易にする方法で、より旧式のワイヤレスネットワークシステムを維持することは、難しい可能性がある。
【０００４】
典型的なワイヤレス通信ネットワーク（例えば、周波数分割技法、時分割技法、および符号分割技法を使用したもの）は、カバレージ区域を提供する１つまたは複数の基地局と、そのカバレージ区域内においてデータを送信し、受信することができる１つまたは複数のモバイル（例えば、ワイヤレス）端末を含んでいる。典型的な基地局は、ブロードキャストサービス、マルチキャストサービス、および／またはユニキャストサービスについての複数の(multiple)データストリームを同時に送信することができ、ここでデータストリームは、モバイル端末にとって独立した受信対象(independent reception interest)であり得る、データのストリームである。その基地局のカバレージ区域内のモバイル端末は、複合ストリーム(composite stream)によって搬送される１つのデータストリーム、複数のデータストリーム、あるいはすべてのデータストリームを受信する際に、対象となり得る。同様に、モバイル端末は、基地局または別のモバイル端末に対してデータを送信することができる。基地局とモバイル端末との間の、あるいはモバイル端末の間のそのような通信は、チャネル変動および／または干渉パワー変動に起因して悪化させられる可能性がある。したがって、ワイヤレス通信環境において、干渉を低減させること、およびスループットを改善することを容易にするシステムおよび／または方法についての当技術分野における必要性が存在する。
【発明の概要】
【０００５】
以下は、そのような態様の基本的な理解を提供するために、１つまたは複数の態様の簡略化された概要(summary)を提示している。この概要は、すべての考えられる態様の広範な全体像ではなく、すべての態様の重要な要素または不可欠な要素を識別するようにも、また任意のまたはすべての態様の範囲を描くようにも意図されてはいない。その唯一の目的は、後で提示されるより詳細な説明に対する前置きとして、１つまたは複数の態様のいくつかの概念を簡略化された形式で提示することである。
【０００６】
様々な態様によれば、主題のイノベーション(innovation)は、それに関連する欠点を緩和しながら、セルラ技術とＷｉ−Ｆｉ技術の両方に関連する利点を達成することを容易にするために、ワイドワイヤレス通信ネットワークとローカルワイヤレス通信ネットワークについての統合された技術を提供するシステムおよび／または方法に関する。例えば、セルラネットワークは、計画的展開(planned deployment)に応じて配置されることができ、この展開は、ネットワークを設計し、または構築するときに効率を向上させることができ、一方では、Ｗｉ−Ｆｉネットワークは、一般的に、より便利なアドホックな(ad hoc)方法で展開される。Ｗｉ−Ｆｉネットワークは、さらにアクセスポイントおよびアクセス端末についての対称の媒体アクセス制御(medium access control)（ＭＡＣ）チャネル、ならびに帯域内ワイヤレス機能を有するバックホールサポート(backhaul support)を提供することを容易にすることができ、これらは、セルラシステムによっては、提供されない。
【０００７】
ここにおいて説明される統合技術(unified technologies)は、対称ＭＡＣと、帯域内ワイヤレス機能を有するバックホールサポートとを提供することを容易にする。さらに、主題の革新は、柔軟な(flexible)方法でネットワークを展開することを容易にする。本発明において説明される方法は、性能(performance)が展開に応じて適合することを可能にし、したがって、もし展開が計画され、または部分的に計画される(semi-planned)場合には、良好な効率を提供し、また、もしネットワークが計画されていない場合には、十分な堅牢性(robustness)を提供する。すなわち、ここにおいて説明される様々な態様は、ネットワークが、計画的展開（例えば、セルラ展開シナリオにおけるような）、アドホック展開（例えば、Ｗｉ−Ｆｉネットワーク展開について利用されることができるような）、あるいはそれら２つの組合せを使用して展開されることを可能にする。さらにまた、他の態様は、様々な伝送パワーレベルを有するノードをサポートすることと、リソース割付けに関してセル間の公平性を達成することとに関し、これらの態様は、Ｗｉ−Ｆｉシステムまたはセルラシステムによっては十分にサポートされない。
【０００８】
例えば、いくつかの態様によれば、ワイヤレスチャネルの重み付けされた公平な配分(weighted fair-sharing)は、リソース利用メッセージ(resource utilization message)（ＲＵＭ）を使用した、トランスミッタとレシーバの両方による伝送の共同スケジューリングによって容易にされることができ、それによってトランスミッタは、その近隣における利用可能性(availability)の知識に基づいて１組のリソースを要求し、レシーバは、その近隣における利用可能性の知識に基づいて要求されたチャネルのサブセットを認可する。トランスミッタは、その付近におけるレシーバに対するリスニング(listening)に基づいて、利用可能性について学習し、レシーバは、その付近におけるトランスミッタに対するリスニングによって潜在的な干渉について学習する。関連した態様によれば、ＲＵＭｓは、ノードが（それが受信しながら見る干渉に起因してデータ伝送のレシーバとして）、不利な状況(disadvantage)に置かれ、伝送の衝突回避モード(collision avoidance mode)を望んでいるということのみならず、ノードが不利な状況に置かれている程度もまた、示すように、重み付けられることができる。ＲＵＭ受信ノード(RUM-receiving node)は、適切な応答を決定するために、それがＲＵＭならびにその重みを受信したという事実を利用することができる。一例として、重みのそのような通知(advertisement)は、公平な方法で衝突回避を可能にする。本発明は、そのような方法を説明する。
【０００９】
他の態様によれば、ＲＵＭ拒絶しきい値(RUM-rejection threshold)（ＲＲＴ）が、受信ＲＵＭに応答すべきかどうかを決定することを容易にするために使用されることができる。例えば、メトリック(metric)が、受信ＲＵＭによって備えられる様々なパラメータおよび／または情報を使用して計算されることができ、そのメトリックは、送信ノードのＲＵＭが応答を保証するかどうかを決定するために、ＲＲＴと比較されることができる。関連した態様によれば、ＲＵＭ送信ノードは、チャネル（一般的に、これらはリソース、周波数サブキャリア、および／または時間スロットであり得る）の数が不利の程度を示すように、ＲＵＭが適用されるチャネルの数を示すことにより、不利のその程度を示すことができる。もし不利の程度が、ＲＵＭに応じて低減される場合、そのときは、ＲＵＭが送られるチャネルの数は、後続のＲＵＭ伝送のために減らされることができる。もし不利の程度が低減されない場合、そのときは、ＲＵＭが適用されるチャネルの数は、後続のＲＵＭ送信のために増やされることができる。
【００１０】
ＲＵＭは、一定のパワースペクトル密度(power spectral density)（ＰＳＤ）で送られることができる、そして、受信ノードは、それ自体とＲＵＭ送信ノードとの間で無線周波数(radio frequency)（ＲＦ）チャネル利得を推定するために、ＲＵＭの受信パワースペクトル密度および／または受信パワーを使用することができ、もしそれが送信するならば、（例えば、あらかじめ決定された許容可能しきい値レベルより上で）それが送信ノードにおいて干渉を引き起こすであろうかどうかを決定する。したがって、ＲＵＭ受信ノードが、ＲＵＭ送信ノードからのＲＵＭを復号化することが可能であり、しかし、それが干渉を引き起こさないことを決定する、という状況が存在し得る。ＲＵＭ受信(RUM-receiving)は、それがＲＵＭに従うべきであることを決定するとき、それは、そのリソースから完全にバックオフすることを選択することにより、あるいはあらかじめ決定された許容可能しきい値レベルの下にその推定される潜在的干渉レベルを持っていく十分に低減させられた送信パワーを使用することを選択することにより、そのように行うことができる。このようにして、「ハード」干渉回避（完全バックオフ）と、「ソフト」干渉回避（パワー制御）は、両方ともに統合された方法でサポートされる。関連した態様によれば、送信ノードで引き起こされる推定される干渉に基づいて送信すべきか否かの決定を容易にするように、ＲＵＭは、受信ノードとＲＵＭ送信ノードとの間のチャネル利得を決定するために、受信ノードによって使用されることができる。
【００１１】
一態様によれば、ワイヤレス通信の方法は、第１のノードにおいて、第１のあらかじめ決定されたしきい値が満たされているあるいは超過されている(has been met or exceeded)ことを示すリソース利用メッセージ（ＲＵＭ）を生成することと、第２のあらかじめ決定されたしきい値が満たされているあるいは超過されている程度を示す値を用いてＲＵＭを重み付けすることと、その重み付けされたＲＵＭを１つまたは複数の第２のノードへと送信することと、を備えることができる。
【００１２】
別の態様は、ワイヤレス通信を容易にする装置に関連し、第１のノードにおいてリソース利用メッセージ（ＲＵＭ）を生成する生成モジュールと、なおＲＵＭは、第１のあらかじめ決定されたしきい値が満たされているあるいは超過されていることを示す；第２のあらかじめ決定されたしきい値が満たされているあるいは超過されている程度を示す値を用いてＲＵＭを重み付けする重み付けモジュールと；その重み付けされたＲＵＭを１つまたは複数の第２のノードへと送信する送信モジュールと；を備える。
【００１３】
別の態様は、ワイヤレス通信のための装置に関連し、第１のノードにおいてリソース利用メッセージ（ＲＵＭ）を生成するための手段と、なおＲＵＭは、第１のあらかじめ決定されたしきい値が満たされているあるいは超過されていることを示す；第２のあらかじめ決定されたしきい値が満たされているあるいは超過されている程度を示す値を用いてＲＵＭを重み付けするための手段と；その重み付けされたＲＵＭを１つまたは複数の第２のノードへと送信するための手段と；を備える。
【００１４】
さらに別の態様は、ワイヤレス通信のための命令を備える機械読取り可能媒体に関連し、命令は、実行されると(upon execution)、機械に、第１のノードにおいて、リソース利用メッセージ（ＲＵＭ）を生成させ、なおＲＵＭは、第１のあらかじめ決定されたしきい値が満たされているあるいは超過されていることを示す；第２のあらかじめ決定されたしきい値が満たされているあるいは超過されている程度を示す値を用いてＲＵＭを重み付けさせ；１つまたは複数の第２のノードに対してその重み付けされたＲＵＭを送信させる。
【００１５】
さらなる態様は、ワイヤレス通信を容易にするプロセッサに関連し、プロセッサは、第１のノードにおいてリソース利用メッセージ（ＲＵＭ）を生成し、なおＲＵＭは、第１のあらかじめ決定されたしきい値が満たされているあるいは超過されていることを示す；第２のあらかじめ決定されたしきい値が満たされているあるいは超過されている程度を示す値を用いてＲＵＭを重み付けし；その重み付けされたＲＵＭを１つまたは複数の第２のノードへと送信する；ように構成されている。
【００１６】
前述の目的、および関連した目的の達成のために。１つまたは複数の態様は、この後、十分に説明され、そして、特に特許請求の範囲において指摘される特徴、を備える。以下の説明および添付の図面は、１つまたは複数の態様のある種の説明のための態様を詳細に述べている。これらの態様は、しかしながら、様々な態様の原理が使用されることができる様々な方法のうちのいくつかを示すにすぎず、そして、説明される態様は、すべてのそのような態様およびそれらの均等物を含むように意図されている。
【図面の簡単な説明】
【００１７】
【図１】１つまたは複数の態様と組み合わせて利用されることができるような、複数の基地局と複数の端末を有するワイヤレス通信システムを示す図である。
【図２】ここにおいて説明される１つまたは複数の態様に従って、リソース利用マスク／メッセージ（ＲＵＭｓ）を使用してワイヤレスチャネルの重み付けされた公平な配分を実行するための方法の説明図である。
【図３】ここにおいて説明される１つまたは複数の態様に従って、リソース割付けを容易にすることができる要求−認可イベントのシーケンスを示す図である。
【図４】様々な態様に従って、要求−認可スキームの理解を容易にするいくつかのトポロジの説明図である。
【図５】ここにおいて提示される１つまたは複数の態様に従って、一定のパワースペクトル密度（ＰＳＤ）で送信されるリソース利用メッセージ（ＲＵＭ）を使用することにより、干渉を管理するための方法を示す図である。
【図６】１つまたは複数の態様に従って、アドホック展開されるワイヤレスネットワークにおける柔軟な媒体アクセス制御（ＭＡＣ）を提供することを容易にするＴｘＲＵＭおよび要求を生成するための方法の説明図である。
【図７】１つまたは複数の態様に従って、送信すべき、要求についての認可を生成するための方法の説明図である。
【図８】１つまたは複数の態様に従って、与えられたノードに関連する不利のレベルに応じてＲＵＭを送信するために使用される加入者の数を調整することにより、競合するノードの間の公平性を達成するための方法の説明図である。
【図９】１つまたは複数の態様に従う、一定のパワースペクトル密度（ＰＳＤ）での２つのノードの間におけるＲｘＲＵＭ送信の説明図である。
【図１０】１つまたは複数の態様に従って、第２のノードにおいて第１のノードによって引き起こされることになる干渉の量を推定することを容易にするＲＵＭ送信について一定のＰＳＤを使用するための方法の説明図である。
【図１１】様々な態様に従って、計画的ワイヤレス通信環境および／またはアドホックワイヤレス通信環境における干渉制御パケットに応答するための方法を示す図である。
【図１２】上記された様々な態様に従って、ＲｘＲＵＭを生成するための方法の説明図である。
【図１３】１つまたは複数の態様に従って、１つまたは複数の受信ＲｘＲＵＭに応答するための方法の説明図である。
【図１４】ここにおいて説明される様々なシステムおよび方法に従って使用されることができるワイヤレスネットワーク環境の説明図である。
【図１５】様々な態様に従って、ワイヤレスデータ通信を容易にする装置の説明図である。
【図１６】１つまたは複数の態様に従って、リソース利用メッセージ（ＲＵＭ）を使用してワイヤレス通信を容易にする装置の説明図である。
【図１７】様々な態様に従って、不利のレベルを示すためにリソース利用メッセージ（ＲＵＭ）を生成することと、ＲＵＭを重み付けすることとを容易にする装置の説明図である。
【図１８】１つまたは複数の態様に従って、どのノードが最も不利な状況に置かれるかを決定するためにワイヤレス通信環境の中のノードにおける相対的な状態を比較することを容易にする装置の説明図である。
【発明を実施するための形態】
【００１８】
次に様々な態様が、図面を参照して説明され、図面中において同様な参照番号は、全体にわたって同様な要素を意味するように使用される。以下の説明においては、説明の目的のために、多くの具体的な詳細が、１つまたは複数の態様の十分な理解を提供するために述べられる。しかしながら、そのような態様（単数または複数）は、これらの具体的な詳細なしに実行されることができることは明らかであり得る。他の例では、よく知られている構造およびデバイスは、１つまたは複数の態様を説明することを容易にするためにブロック図形式で示される。
【００１９】
この出願において使用されるように、「コンポーネント」、「システム」などの用語は、ハードウェア、ソフトウェア、実行中のソフトウェア、ファームウェア、ミドルウェア、マイクロコード、および／またはそれらの任意の組合せのいずれでも、コンピュータに関連したエンティティ(entity)について言及するように意図される。例えば、コンポーネントは、それだけには限定されないが、プロセッサ上で実行されるプロセス、プロセッサ、オブジェクト、実行ファイル(executable)、実行スレッド(thread of execution)、プログラム、および／またはコンピュータとすることができる。１つまたは複数のコンポーネントは、プロセスおよび／または実行スレッドの内部に存在することができ、コンポーネントは、１台のコンピュータ上に局所化され、かつ／または２台以上のコンピュータ間で分散されることができる。またこれらのコンポーネントは、様々なデータ構造が記憶されている様々なコンピュータ読取り可能媒体から実行することもできる。コンポーネントは、１つまたは複数のデータパケット（例えば、ローカルシステム、分散システムにおける別のコンポーネントと、かつ／またはインターネットなどのネットワーク全体にわたって信号を経由して他のシステムと、相互作用する１つのコンポーネントからのデータ）を有する信号などに従って、ローカルおよび／またはリモートのプロセスを経由して通信することができる。さらに、ここにおいて説明されるシステムのコンポーネントは、それに関連して説明される様々な態様、目標、利点などを達成することを容易にするために再構成され、かつ／または追加のコンポーネントによって補足されることができ、当業者によって認識されるように、与えられる図面中に述べられるそのものずばりのコンフィギュレーションだけには限定されない。
【００２０】
さらに、様々な態様が、加入者局に関連してここにおいて説明される。加入者局は、システム、加入者ユニット、移動局、モバイル、リモート局、リモート端末、アクセス端末、ユーザ端末、ユーザエージェント、ユーザデバイス、またはユーザ装置と呼ばれることもできる。加入者局は、セルラ電話、コードレス電話、セッション開始プロトコル(Session Initiation Protocol)（ＳＩＰ）電話、ワイヤレスローカルループ(wireless local loop)（ＷＬＬ）局、携帯型個人情報端末(personal digital assistant)（ＰＤＡ）、ワイヤレス接続機能を有するハンドヘルドデバイス、またはワイヤレスモデムに接続された他の処理デバイスとすることができる。
【００２１】
さらに、ここにおいて説明される様々な態様または特徴は、標準のプログラミング技法および／またはエンジニアリング技法を使用した製造の方法、装置、または物品としてインプリメントされることができる。ここにおいて使用されるような用語「製造の物品」は、任意のコンピュータ読取り可能なデバイス、キャリア、または媒体からアクセス可能なコンピュータプログラムを包含するように意図される。例えば、コンピュータ読取り可能媒体は、それだけには限定されないが、磁気ストレージデバイス（例えば、ハードディスク、フロッピー（登録商標）ディスク、磁気ストリップ...）、光ディスク（例えば、コンパクトディスク(compact disk)（ＣＤ）、デジタル多用途ディスク(digital versatile disk)（ＤＶＤ）...）、スマートカード、およびフラッシュメモリデバイス（例えば、カード、スティック、キードライブ...）を含むことができる。さらに、ここにおいて説明される様々なストレージ媒体は、情報を記憶するための１つまたは複数のデバイスおよび／または他の機械読取り可能媒体を表すことができる。用語「機械読取り可能媒体」は、それだけに限定されることなしに、１つ（または複数）の命令および／またはデータを記憶し、含み、かつ／または搬送することができるワイヤレスチャネルおよび様々な他の媒体を含むことができる。用語「例示の(exemplary)」は、ここにおいて「１つの例、インスタンス、または例証としての役割を果たす」ことを意味するように使用されることが認識されるであろう。「例示の」としてここにおいて説明される任意の態様または設計は、必ずしも他の態様または設計よりも好ましい、あるいは有利であると解釈されるべきであるとは限らない。
【００２２】
ここにおいて使用されるような「ノード」は、アクセス端末またはアクセスポイントとすることができること、および各ノードは、受信ノードならびに送信ノードとすることができることが理解されるであろう。例えば、各ノードは、少なくとも１つの受信アンテナ、および関連するレシーバチェーン(receiver chain)、ならびに少なくとも１つの送信アンテナ、および関連するトランスミットチェーン(transmit chain)を備えることができる。さらに、各ノードは、ここにおいて説明される方法および／またはプロトコルのうちのどれかおよびすべてを実行するためのソフトウェアコードを実行する１つまたは複数のプロセッサ、ならびにここにおいて説明される様々な方法および／またはプロトコルに関連するデータおよび／またはコンピュータ実行可能命令を記憶するためのメモリを備えることができる。
【００２３】
次に図１を参照すると、ワイヤレスネットワーク通信システム１００が、ここにおいて提示される様々な態様に従って示される。システム１００は、互いにワイヤレス通信信号を受信し、送信し、反復などする１つまたは複数のセクタ中における１つまたは複数の基地局１０２（例えば、セルラ、Ｗｉ−Ｆｉまたはアドホック）など、複数のノード、および／またはアクセス端末１０４など、１つまたは複数の他のノードを備える。各基地局１０２は、当業者によって認識されるように、おのおのが、次には信号送信および信号受信に関連する複数のコンポーネント（例えば、プロセッサ、変調器、マルチプレクサ、復調器、デマルチプレクサ(demultiplexer)、アンテナなど）を備えることができるトランスミッタチェーン(transmitter chain)およびレシーバチェーンを備えることができる。アクセス端末１０４は、例えばセルラ電話、スマートフォン(smart phone)、ラップトップ、ハンドヘルド通信デバイス、ハンドヘルドコンピューティングデバイス、衛星無線(satellite radio)、全地球測位システム、ＰＤＡ、および／またはワイヤレスネットワーク上で通信するための他の適切な任意のデバイスとすることができる。
【００２４】
以下の考察は、ここにおいて説明される様々なシステムおよび／または方法の理解を容易にするために提供される。様々な態様によれば、ノード重みは、（例えば、送信ノードおよび／または受信ノードに対して）割り当てられることができ、ここで各ノード重みは、ノードによってサポ−トされるフロー(flow)の数の関数(function)である。ここにおいて使用されるような「フロー」は、ノードにやって来る、またはノードから出て来る伝送を表す。ノードの全体の重みは、そのノードを通過するすべてのフローの重みを合計することにより決定されることができる。例えば、定ビットレート(Constant Bit Rate)（ＣＢＲ）フローは、あらかじめ決定された重みを有することができ、データフローは、それらのタイプ（例えば、ＨＴＴＰ、ＦＴＰ、...）などに比例した重みを有することができる。さらに、各ノードには、各ノードに対して余分な優先度を提供するために各ノードのフロー重みに追加されることができるあらかじめ決定された静的重みが割り当てられることができる。ノード重みはまた、動的とすることもでき、ノードが搬送するフローの現在の状態を反映することもできる。例えば、重みは、そのノードにおいて搬送されて（受信されて）いるフローの最悪スループットに対応することができる。本質的に、重みは、ノードが、共通のリソースについて競合する１組の干渉ノードの間で公平なチャネルアクセスを行う際に経験しており使用される不利の程度を表す。
【００２５】
要求メッセージ、認可メッセージ(grant message)、およびデータ送信は、パワー制御されることができる。しかしながら、ノードは、それにもかかわらずその信号対干渉雑音 (signal-to-interference noise)（ＳＩＮＲ）レベルを許容できないようにする過剰な干渉を経験する可能性がある。望ましくないように低いＳＩＮＲを緩和するために、リソース利用メッセージ（ＲＵＭ）が、利用されることができ、これらのリソース利用メッセージは、レシーバ側（ＲｘＲＵＭ）および／またはトランスミッタ側（ＴｘＲＵＭ）とすることができる。レシーバの望ましいチャネル上の干渉レベルがあらかじめ決定されたしきい値レベルを超過するときに、ＲｘＲＵＭは、レシーバによってブロードキャストされることができる。ＲｘＲＵＭは、レシーバが低減させられた干渉を望む、認可されたチャネルのリスト、ならびにノード重み情報を含むことができる。さらに、ＲｘＲＵＭは、一定のパワースペクトル密度（ＰＳＤ）で、または一定のパワーで送信されることができる。ＲｘＲＵＭを復号化するノード（例えば、ＲｘＲＵＭを放出するレシーバと競合するトランスミッタ）は、ＲｘＲＵＭに反応することができる。例えば、ＲｘＲＵＭを聞くノードは、レシーバからのそれらのそれぞれのチャネル利得を（例えば、受信ＰＳＤを測定することにより、そしてＲｘＲＵＭが送信された一定ＰＳＤの知識を用いて）計算することができ、そして干渉を緩和するためにそれらのそれぞれの送信パワーレベルを低減させることができる。ＲｘＲＵＭ受信側は、ＲｘＲＵＭ上の示されるチャネルから完全にバックオフするように選択することさえできる。干渉回避が公平な方法で行われるように保証するために、すなわちすべてのノードが、送信機会の公平な配分比率(share)を得ることを保証するために、重みが、ＲｘＲＵＭの中に含められることができる。与えられたノードの重みは、ノードに対する割付けのためのリソースの公平な配分比率を計算するために利用されることができる。一例によれば、ＲＵＭを送信し、かつ／またはＲＵＭに反応するために使用されるしきい値は、システムの動作に基づいて決定されることができる。例えば、純粋な衝突回避タイプのシステムにおいて、ＲＵＭは、あらゆる伝送ごとに送信されることができ、ＲＵＭを聞く任意のノードは、関連するチャネル上で送信しないことにより、反応することができる。
【００２６】
どのチャネルについてＲＵＭが適用されるかを示すチャネルビットマスクがＲＵＭに含まれる場合、そのときには衝突回避についての追加の次元が実現されることができ、これは、レシーバが、チャネルの一部分にわたってデータの小さな量をスケジュールする必要があり、そしてトランスミッタが全体のチャネルから完全にバックオフすることをのぞまないときに有用になる可能性がある。この態様は、衝突回避メカニズムにおいて、より微細な細分性を提供することができ、これは、バーストの多いトラフィックでは重要になる可能性がある。
【００２７】
トランスミッタが十分なリソースを要求することができないときに（例えば、トランスミッタが、ほとんどのチャネル上でトランスミッタにバックオフするように強制する１つまたは複数のＲｘＲＵＭを聞く場合に）、ＴｘＲＵＭは、トランスミッタによってブロードキャストされることができる。ＴｘＲＵＭは、差し迫った干渉について隣接したレシーバに通知するために、実際の送信の前にブロードキャストされることができる。ＴｘＲＵＭは、リスニング範囲内のすべてのレシーバに、トランスミッタが聞いているＲｘＲＵＭに基づいてトランスミッタが、それが帯域幅に対する最も有効な要求を有すると思うことを伝えることができる。ＴｘＲＵＭは、トランスミッタノードの重みについての情報を搬送することができ、これは、リソースのそれらのそれぞれの配分比率を計算するために隣接したノードによって使用されることができる。さらに、ＴｘＲＵＭは、データが送信されるパワーレベルに比例したＰＳＤまたは送信パワーで送信されることができる。もしかすると影響を受けるかも知れないノードだけがトランスミッタの状態について知らされる必要があるにすぎないので、ＴｘＲＵＭは、一定の（例えば、高い）ＰＳＤで送信される必要がないことが認識されるであろう。
【００２８】
ＲｘＲＵＭは、レシーバが他の送信からの干渉によって帯域幅について不足で苦しんでいる(starved)程度を「リスニング」範囲(“listening” range)内のすべてのトランスミッタに対して（例えば、それらが、データをレシーバに送信するか否かにかかわらず）搬送するように意図されている重み情報(weight information)、を搬送する。重みは、不利の程度(degree of disadvantage)を表すことができ、レシーバがもっと不利であったときには、より大きく、あまり不利でないときには、より小さくすることができる。一例として、スループットが不利の程度を測定するために使用される場合、そのときには可能性のある１つの関係は、
【数１】
0005420686.tif 000002
【００２９】
として表されることができ、式中で、Ｒｔａｒｇｅｔは、望ましいスループットを表し、Ｒａｃｔｕａｌは、達成される実際のスループットであり、Ｑ（ｘ）は、ｘの量子化された値を表す。レシーバにおいて単一フローが存在するとき、そのときにはＲｔａｒｇｅｔは、そのフローについての最小の望ましいスループットを表すことができ、Ｒａｃｔｕａｌは、そのフローについて達成されている平均スループットを表すことができる。不利のより大きな程度を表すより高い値の重みは、慣習的な事柄であることに注意すべきである。同様にして、重み分解能ロジックが適切に修正される限りは、より高い値の重みが不利のより低い程度を表す慣習が利用されることができる。例えば、人は、重みを計算するためにターゲットスループットに対する実際のスループットの比（以上で示された例の逆数）を使用することができる。
【００３０】
レシーバにおいて、もしかすると異なるＲｔａｒｇｅｔ値を有する複数のフローが存在するとき、そのときにはレシーバは、最も不利なフローに基づいて重みを設定するように選択することができる。例えば、
【数２】
0005420686.tif 000003
【００３１】
であり、式中でｊは、レシーバにおけるフローインデックスである。重みをフロースループットの合計に基づいたものにすることなど、他のオプションも同様に実行されることができる。上記における重みについて使用される関数形式は、単に例証のためにすぎないことに注意すべきである。重みは、様々な異なる方法で、またスループットとは異なるメトリックを使用して計算されることができる。関連した態様によれば、レシーバは、送信元（例えば、トランスミッタ）からの顕著なデータを有するかどうかを決定することができる。これは、レシーバが要求を受信している場合、あるいはレシーバが、それが認可していない先の要求を受信している場合に、当てはまる。この場合には、レシーバは、ＲａｃｔｕａｌがＲｔａｒｇｅｔよりも下にあるときに、ＲｘＲＵＭを送信することができる。
【００３２】
ＴｘＲＵＭは、存在するか否かを伝える単一ビットの情報を搬送することができる。トランスミッタは、あらかじめ定義された一連のアクションを実行することにより、ＴｘＲＵＭビットを設定することができる。例えば、トランスミッタは、レシーバがＲｘＲＵＭを送信している場合に、それ自体のレシーバからのＲｘＲＵＭを含めて、トランスミッタが最近聞いているＲｘＲＵＭを収集することができる。トランスミッタがどのようなＲｘＲＵＭも受信していない場合、トランスミッタは、ＴｘＲＵＭを送信せずにそのレシーバに対して要求を送信することができる。ただ１つのＲｘＲＵＭが、それ自体のレシーバからである場合、そのときにはトランスミッタは、要求とＴｘＲＵＭを送信することができる。
【００３３】
代わりに、トランスミッタが、それ自体のレシーバからのＲｘＲＵＭを含めて、ＲｘＲＵＭを受信している場合、トランスミッタは、ＲｘＲＵＭの重みに基づいてＲｘＲＵＭをソートすることができる。トランスミッタの自体のレシーバが最高の重みを有する場合、そのときにはトランスミッタは、ＴｘＲＵＭと要求を送信することができる。トランスミッタの自体のレシーバが、最高の重みでない場合、トランスミッタは、要求またはＴｘＲＵＭを送信する必要はない。トランスミッタの自体のレシーバが、すべてが最高の重みにあるいくつかのＲｘＲＵＭのうちの１つである場合、そのときにはトランスミッタは、１／（最高の重みにおけるすべてのＲｘＲＵＭ）によって定義される確率でＴｘＲＵＭと要求を送信する。別の態様によれば、レシーバが、それ自体のレシーバからのＲｘＲＵＭを含まないＲｘＲＵＭを受信している場合、そのときにはトランスミッタは、要求を送信しなくてもよい。上記されたＲｘＲＵＭ処理の全体シーケンスは、ＴｘＲＵＭのない場合でさえ、適用されることができることに注意すべきである。そのような場合には、ロジックは、そのレシーバに対して要求を送信すべきか否かを、そしてそうである場合、どのチャネルについてかを決定するためにトランスミッタノードによって適用される。
【００３４】
レシーバが聞く要求および／またはＴｘＲＵＭに基づいて、レシーバは、与えられた要求を認可するように決定することができる。トランスミッタが、要求をしていないときには、レシーバは、認可を送信する必要はない。レシーバが、ＴｘＲＵＭを聞いているが、レシーバがサーブ(serve)しているトランスミッタからは何も聞いていない場合、そのときにはレシーバは、認可を送信しない。レシーバが、それがサーブしているトランスミッタからのみＴｘＲＵＭを聞く場合、そのときにはレシーバは、認可を行うことを決定することができる。レシーバが、それがサーブしていないトランスミッタからと同様に、それ自体のトランスミッタからＴｘＲＵＭを聞いている場合、そのときには２つの結果が可能である。例えば、送信レートの実行平均が少なくともＲｔａｒｇｅｔである場合、そのときにはレシーバは認可しない（例えば、レシーバは、そのトランスミッタに静かにしているように強制する）。そうでなければ、レシーバは、１．０／（聞かれるＴｘＲＵＭの合計）として定義される確率で認可する。トランスミッタが認可している場合には、トランスミッタは、レシーバによって受信されることができるデータフレームを送信する。正常な送信のすぐ後に、トランスミッタもレシーバも、その接続についての平均レートをアップデートする。
【００３５】
他の態様によれば、スケジューリングアクション(scheduling action)は、等しいグレードのサービス(equal grade of service)（ＥＧＯＳ）、あるいはレシーバに対する複数の(multiple)トランスミッタおよび／またはフローの間の公平さとサービス品質とを管理するための他のスキームをインプリメントするようにプログラムされることができる。スケジューラは、どのノードをスケジュールすべきかを決定するために、そのパートナーノードによって受信されるレートのその知識を使用する。しかしながら、スケジューラは、それが動作する媒体アクセスチャネルによって課される干渉ルールに従うことができる。特に、スケジューラは、その近隣から聞くＲＵＭに従うことができる。例えば、順方向リンク上では、アクセスポイント（ＡＰ）におけるスケジューラは、それがＲｘＲＵＭによってブロックされない限りは、それがトラフィックを有するすべてのアクセス端末（ＡＴ）に対して要求を送信することができる。ＡＰは、１つまたは複数のこれらのＡＴから戻される認可を受信することができる。ＡＴは、それが、競合するＴｘＲＵＭによって取って代わられる場合には、認可を送信しなくてもよい。次いで、ＡＰは、スケジューリングアルゴリズムに応じて最高優先順位を有するＡＴをスケジュールすることができ、そして送信することができる。
【００３６】
逆方向リンク上では、送信すべきトラフィックを有する各ＡＴは、ＡＰに要求することができる。ＡＴは、それがＲｘＲＵＭによってブロックされる場合には、要求を送信しないことになる。ＡＰは、それが以前のスロットにおいて聞いている任意のＴｘＲＵＭに従いながら、スケジューリングアルゴリズムに応じて、最高の優先順位を有するＡＴをスケジュールする。次いでＡＰは、ＡＴに対して認可を送信する。認可を受信するとすぐに、ＡＴは、送信する。
【００３７】
図２は、ここにおいて説明される１つまたは複数の態様に従って、リソース利用マスク／メッセージ（ＲＵＭ）を使用してワイヤレスチャネルの重み付けされた公平な配分を実行するための方法２００の説明図である。２０２において、決定は、ノード（例えば、アクセスポイント、アクセス端末など）が送信することを好むことになるチャネルの数に関して行われることができる。そのような決定は、例えば送信されるべき与えられた量のデータに関連する必要性、ノードにおいて経験する干渉、または他の適切な任意のパラメータ（例えば、レイテンシ、データレート、スペクトル効率など）に基づいたものとすることができる。２０４において、１つまたは複数のチャネルが、チャネルの望ましい数を達成するために選択されることができる。チャネル選択は、使用可能なチャネルについての好みを用いて実行されることができる。例えば、先行する送信期間において使用可能であったことが知られているチャネルは、先行する送信期間において占有されていたチャネルよりも前に選択されることができる。２０６において、１つ（または複数）の選択されたチャネルについての要求が、送信されることができる。要求は、トランスミッタ（例えば、送信ノード、...）がデータを送信しようと意図する好ましいチャネルのビットマスクを備えることができ、トランスミッタからレシーバ（例えば、受信ノード、セル電話、スマートフォン、ワイヤレス通信デバイス、アクセスポイント、...）へと送信されることができる。要求は、最新の時間スロットにおいてブロックされなかった第１の複数のチャネルについての要求とすることができ、第１の複数のチャネルがデータ送信について不十分である場合には、第２の複数のチャネルについての要求とすることなどができる。２０６において送信される要求メッセージは、レシーバにおける信頼性の望ましいレベルを保証するようにさらにパワー制御されることができる。
【００３８】
他の態様によれば、与えられた送信についての望ましいチャネルの数の決定は、ノードに関連する重みの関数、チャネルを要求する他のノードに関連する重みの関数、送信のために使用可能なチャネルの数の関数、あるいは先行するファクタの任意の組合せとすることができる。例えば、重みは、ノードを流れるフローの数、ノードにおいて経験する干渉のレベルなどの関数とすることができる。他の特徴によれば、チャネル選択は、１つまたは複数の組へとチャネルを分割することを備えることができ、チャネルの組における１つまたは複数のチャネルが使用可能でないことを示す受信されたリソース利用メッセージ（ＲＵＭ）に部分的に基づいたものとすることができる。ＲＵＭは、与えられたチャネルが使用可能である（例えば、ＲＵＭによって識別されない）かどうかを決定するために評価されることができる。例えば、与えられたチャネルは、それがＲＵＭにおいてリストアップされていない場合に、使用可能であるという決定が、行われることができる。別の例は、たとえＲＵＭがそのチャネルについて受信されたとしても、そのチャネルについての公示された重みが、ノードのレシーバによって送信されるＲＵＭにおいて公示される重みよりも低かった場合には、チャネルが、使用可能であると見なされることである。
【００３９】
図３は、ここにおいて説明される１つまたは複数の態様に従って、リソース割付けを容易にすることができる要求−認可イベントのシーケンスを示している。トランスミッタからレシーバへと送信される要求を備える第１の一連のイベント３０２が示される。要求を受信するとすぐに、レシーバは、トランスミッタに対して認可メッセージを送信することができ、この認可メッセージは、トランスミッタによって要求されるチャネルのすべてまたはサブセットを認可する。次いでトランスミッタは、認可されたチャネルの一部またはすべての上でデータを送信することができる。
【００４０】
関連した態様によれば、イベントのシーケンス３０４は、トランスミッタからレシーバへと送信される要求を備えることができる。要求は、トランスミッタが、レシーバに対してデータを送信することを希望するチャネルのリストを含むことができる。次いでレシーバは、トランスミッタに対して認可メッセージを送信することができ、この認可メッセージは、望ましいチャネルのすべてまたはサブセットが認可されていることを示す。次いでトランスミッタは、レシーバに対してパイロットメッセージを送信することができ、このパイロットメッセージの受信のすぐ後に、レシーバは、望ましくない低いＳＩＮＲを緩和することを容易にするために、トランスミッタに対してレート情報を返信することができる。レート情報の受信のすぐ後に、トランスミッタは、認可されたチャネル上で、指示された送信レートでデータ送信を進めることができる。
【００４１】
関連した態様によれば、トランスミッタが十分なリソースを要求することができないときに（例えば、トランスミッタがトランスミッタの使用可能なチャネルのほとんどを占有する１つまたは複数のＲｘＲＵＭを聞く場合に）、ＴｘＲＵＭは、トランスミッタによってブロードキャストされることができる。そのようなＴｘＲＵＭは、トランスミッタノードの重みについての情報を搬送することができ、この重みは、リソースのそれらのそれぞれの配分比率を計算するために隣接するノードによって使用されることができる。さらに、ＴｘＲＵＭは、データが送信されるパワーレベルに比例したＰＳＤで送信されることができる。もしかすると影響を受けるノードだけがトランスミッタの状態について知らされる必要があるので、ＴｘＲＵＭは、一定の（例えば、高い）ＰＳＤで送信される必要がないことが認識されるであろう。
【００４２】
イベント３０２および３０４のシーケンスは、通信イベント中に強制される可能性がある複数の制約条件を考慮して、実行されることができる。例えば、トランスミッタは、以前の時間スロットにおけるＲｘＲＵＭによってブロックされていない任意の１つ（または複数）のチャネルを要求することができる。要求されたチャネルは、最新の送信サイクルにおける正常なチャネルについての好みを用いて優先順位付けされることができる。十分なチャネルが存在しない場合には、トランスミッタは、追加のチャネルについての競合を通知するＴｘＲＵＭを送信することにより、その公平な配分比率を得るために追加のチャネルを要求することができる。次いでチャネルの公平な配分比率は、聞かれているＲｘＲＵＭを考慮して、競合する近隣（例えば、ノード）の数および重みに応じて決定されることができる。
【００４３】
レシーバからの認可は、要求の中でリストアップされるチャネルのサブセットとすることができる。レシーバには、最新の送信中に高い干渉レベルを示すチャネルを回避する権限が授けられることができる。認可されたチャネルが不十分である場合には、レシーバは、１つまたは複数のＲｘＲＵＭを送信することにより、チャネルを（例えば、トランスミッタの公平な配分比率まで）追加することができる。チャネルのトランスミッタの公平な配分比率は、例えば、聞かれている（例えば受信されている）ＴｘＲＵＭを考慮して、隣接するノードの数と重みを評価することにより、決定されることができる。
【００４４】
送信するときに、トランスミッタは、認可メッセージの中で認可されるチャネルのすべてまたはサブセット上でデータを送信することができる。トランスミッタは、ＲｘＲＵＭを聞くとすぐに一部またはすべてのチャネル上の送信パワーを低減させることができる。トランスミッタが、同じチャネル上で認可および複数のＲｘＲＵＭを聞く場合には、トランスミッタは、逆数の確率で送信することができる。例えば、１つの認可と３つのＲｘＲＵＭが単一チャネルについて聞かれる場合、そのときにはトランスミッタは、１／３の確率などで送信することができる（例えば、トランスミッタがチャネルを使用することになる確率は、１／３である）。
【００４５】
他の態様によれば、過剰な帯域幅が、以上の制約条件に関して自由にされる配分スキームに応じて割り付けられることができる。例えば、重みベースのスケジューリングは、上記されるように、リソースの重み付けされた公平な配分を容易にすることができる。しかしながら、過剰な帯域幅が存在する場合には、リソースの（例えば、最小の公平な配分比率より上の）割付けは、強制される必要はない。例えば、フルバッファ(full buffer)を有する２つのノードが、おのおの１００の重み（例えば、１００ｋｂｐｓのフローレート (flow rate)に対応する）を有し、チャネルを共用しているというシナリオが、考えられることができる。この状況においては、ノードは、チャネルを等しく共用することができる。それらが、チャネル品質を変化することを経験する場合、２つのノードのおのおのは、例えば３００ｋｂｐｓを認可されることができる。しかしながら、ノード２の配分比率を５００ｋｂｐｓまで増大させるために、ノード１には、２００ｋｂｐｓだけを与えることが望ましいこともある。すなわち、そのような状況においては、より大きなセクタスループット(sector throughput)を達成するために何らかの不公平なやり方で任意の過剰な帯域幅を配分することが望ましいこともある。重み付けメカニズムは、不公平な配分を容易にするために簡単な方法で拡張されることができる。例えば、重みに加えて、各ノードは、その割り当てられるレートの概念を有することもでき、この情報は、ＡＴによって購入されるサービスに関連づけられることができる。ノードは、絶えずその平均レートを（何らかの適切な期間上で）アップデートすることができ、ノードがそれらの割り当てられたレートを超えた過剰なリソースについて競うことにならないことを保証するために、その平均スループットが割り当てられたレートより低いときにＲＵＭを送り出すことができ、次いでこの過剰なリソースは、他の配分スキームにおいて分配されることができる。
【００４６】
図４は、様々な態様に従って、要求−認可スキームの理解を容易にするいくつかのトポロジの説明図である。第１のトポロジ４０２は、極めて接近した３つのリンク（Ａ〜Ｂ、Ｃ〜Ｄ、Ｅ〜Ｆ）を有し、ここであらゆるノードＡ〜Ｆは、あらゆる他のノードからのＲＵＭを聞くことができる。第２のトポロジ４０４は、チェーンの形の３つのリンクを有し、中央のリンク（Ｃ〜Ｄ）は、両方の外側のリンク（Ａ〜ＢおよびＥ〜Ｆ）と干渉するが、外側のリンクは、互いに干渉しない。ＲＵＭは、ＲＵＭの範囲が２つのノードであるように、この例に応じてシミュレートされることができる。第３のトポロジ４０６は、互いに干渉し、互いのＲＵＭを聞くことができる右側の上の３つのリンク（Ｃ〜Ｄ、Ｅ〜Ｆ、およびＧ〜Ｈ）を備える。左側の上の単一のリンク（Ａ〜Ｂ）は、リンク（Ｃ〜Ｄ）と干渉するだけである。
【００４７】
様々な例に応じて、上記されるトポロジについて、３つのシステムの性能が以下の表１に説明される。「完全な情報(Full Information)」のシナリオにおいては、ビットマスクと重みを有するＲｘＲＵＭ、ならびにビットマスクと重みを有するＴｘＲＵＭの利用可能性が仮定される。「部分的な情報(Partial Information)」のシナリオにおいては、ビットマスクと重みを有するＲｘＲＵＭと、重みは有するがビットマスクは有さないＴｘＲＵＭとが、仮定される。最後に「ＲｘＲＵＭだけ(RxRUM Alone)」のシナリオにおいては、ＴｘＲＵＭは、送り出されない。
【表１】
0005420686.tif 000004
【００４８】
表１から分かるように、部分的な情報の提案は、収束の小さな遅れで重みの公平な配分比率を達成することができる。収束数は、スキームが使用可能なチャネルの安定した分配へと収束するためにかかるサイクルの数を示している。その後に、それらのノードは、同じチャネルを利用し続けることができる。
【００４９】
図５は、ここにおいて提示される１つまたは複数の態様に従って、一定のパワースペクトル密度（ＰＳＤ）で送信されるリソース利用メッセージ（ＲＵＭ）を使用することにより、干渉を管理するための方法５００の説明図である。要求メッセージ、認可メッセージ、および送信は、パワー制御されることができる。しかしながら、ノードは、それにもかかわらず、その信号対干渉雑音比(signal-to-interference noise ratio)（ＳＩＮＲ）レベルを許容不可能にする過剰な干渉を経験する可能性がある。望ましくないように低いＳＩＮＲを緩和するために、ＲＵＭが利用されることができ、このＲＵＭは、レシーバ側（ＲｘＲＵＭ）および／またはトランスミッタ側（ＴｘＲＵＭ）とすることができる。レシーバの望ましいチャネル上の干渉レベルがあらかじめ決定されたしきい値レベルを超過するときに、ＲｘＲＵＭは、レシーバによってブロードキャストされることができる。ＲｘＲＵＭは、レシーバが低減させられた干渉を望む、チャネルのリスト、ならびにノード重み情報を含むことができる。さらに、ＲｘＲＵＭは、一定のパワースペクトル密度（ＰＳＤ）で送信されることができる。ＲｘＲＵＭを「聞く」ノード（例えば、ＲｘＲＵＭを放出するレシーバと競合するトランスミッタ）は、それらの送信を停止することにより、あるいは送信パワーを低減させることにより、ＲｘＲＵＭに反応することができる。
【００５０】
例えば、ワイヤレスノードのアドホック展開においては、キャリア対干渉比(carrier-to-interference ratio)（Ｃ／Ｉ）は、一部のノードにおいては望ましくないように低いこともあり、これは、正常な送信を妨害する可能性がある。Ｃ／Ｉを計算するために使用される干渉レベルは、Ｃ／Ｉが、同様にＣ／（Ｉ＋Ｎ）、式中でＮはノイズである、として表現されることができるように、ノイズを備えることができることが認識されるであろう。そのような場合には、レシーバは、付近の他のノードにそれらのそれぞれの送信パワーを低減させること、あるいは示されたチャネルから完全にバックオフすることのいずれかを要求することにより干渉を管理することができる。５０２において、第１のあらかじめ決定されたしきい値より下のＣ／Ｉを示すチャネルの指示（例えば、マルチチャネルシステムにおける）が生成されることができる。５０４において、どのチャネルが不十分なＣ／Ｉを示すかを示す情報を備えるメッセージが送信されることができる。例えば、第１のノード（例えば、レシーバ）は、望ましくないように低いＣ／Ｉを有するチャネルを示す情報を備えるビットマスクと一緒に、ＲＵＭをブロードキャストすることができる。ＲＵＭは、さらにネットワーク中におけるすべてのノードに知られている一定のＰＳＤで送信されることができる。このようにして、変化するパワーレベルを有するノードは、同じＰＳＤを用いてブロードキャストすることができる。
【００５１】
５０６において、メッセージ（例えば、ＲＵＭ）は、他のノードによって受信されることができる。ＲＵＭを受信するとすぐに、５０８において第２のノード（例えば、トランスミッタ）は、それ自体と第１のノードとの間の無線周波数（ＲＦ）距離（例えば、チャネル利得）を計算するために、ＲＵＭに関連するＰＳＤを利用することができる。ＲＵＭに対する与えられたノードの反応は、ＲＦ距離に応じて変化する可能性がある。例えば、５１０において、第２のあらかじめ決定されたしきい値とＲＦ距離の比較が実行されることができる。ＲＦ距離が、第２のあらかじめ決定されたしきい値よりも下にある（例えば、第１のノードと第２のノードが互いに近接している）場合、そのときには５１２において、第２のノードは、干渉を緩和するためにＲＵＭの中に示されるチャネル上のさらなるどのような送信も中止することができる。代わりに、第２のノードと第１のノードが互いから十分に離れている（例えば、それらの間のＲＦ距離が、５１０において比較されるときに、第２のあらかじめ決定されたしきい値以上である）場合、そのときには５１４において、第２のノードは、第１のノードにおいて引き起こされることになり、第２のノードがＲＵＭの中で示されるチャネル上で送信することを継続すべきであった場合に第２のノードに帰せられる干渉の大きさを予測するためにＲＦ距離情報を利用することができる。５１６において、予測された干渉レベルは、第３のあらかじめ決定されたしきい値レベルと比較されることができる。
【００５２】
例えば、第３のあらかじめ決定されたしきい値は、ターゲット干渉オーバーサーマル(interference-over-thermal)（ＩＯＴ）レベルの固定部分とすることができ、このターゲット干渉オーバーサーマルレベルは、共通の帯域幅上で測定される熱雑音パワーに対する干渉雑音の比（例えば、６ｄＢのターゲットＩＯＴの訳２５％、または何らかの他のしきい値レベル）である。予測される干渉がしきい値レベルより下である場合、そのときには５２０において、第２のノードは、ＲＵＭの中で示されるチャネル上で送信することを継続することができる。しかしながら、予測される干渉が、第３のあらかじめ決定されたしきい値レベル以上であると決定される場合、そのときには５１８において、第２のノードは、予測される干渉が第３のしきい値レベルより下になるまでその送信パワーレベルを低減させることができる。このようにして、単一メッセージ、またはＲＵＭは、複数のチャネル上での干渉を示すために使用されることができる。干渉ノードにパワーを低減させることにより、影響を受けるノード（例えば、レシーバ、アクセス端末、アクセスポイント、...）は、複数のチャネルのサブセット上で正常にビットを受信することができ、それらの送信パワーレベルを低減させるノードは、それらのそれぞれの送信を継続することを可能にされることもできる。
【００５３】
図６および７に関して、レシーバに、１つまたは複数のトランスミッタに対して、それが衝突回避モードの送信を好むということのみならず、それが他のレシーバに対してどれほど不利な状況にあるかの尺度をも、伝えるようにさせることによって、柔軟な媒体アクセス制御(flexible medium access control)は容易にされることができる。第３世代のセルラＭＡＣにおいては、セルにまたがった干渉回避についての必要性は、計画的展開スキームを使用することにより、緩和されることができる。セルラＭＡＣは、一般に高い空間効率（ビット／単位面積）を達成するが、計画的展開は、高価であり、時間がかかり、ホットスポット展開(hotspot deployment)のためにはあまり適していない可能性もある。逆に、８０２．１１ファミリの規格に基づいたＷＬＡＮシステムなどのＷＬＡＮシステムは、展開に対して非常に少ない制約しか課さないが、セルラシステムに対してＷＬＡＮシステムを展開することに関連するコストと時間の節約は、ＭＡＣ中に構築されるべき増大させられた干渉堅牢性を犠牲にして生じる。例えば、８０２．１１ファミリは、キャリア検出多重アクセス(carrier sense multiple access)（ＣＳＭＡ）に基づいたＭＡＣを使用する。ＣＳＭＡは、基本的には、「送信前にリッスンする(listen-before-transmit)」アプローチであり、ここでは送信することを意図するノードは、最初に媒体を「リッスン」し、それがアイドル状態であることを決定し、次いで送信に先立ってバックオフプロトコルに従う必要がある。キャリア検出ＭＡＣは、乏しい利用、限られた公平性制御、および隠されたノードおよび露出されたノードに対する感受性をもたらす可能性がある。計画的展開セルラシステムにもＷｉ−Ｆｉ／ＷＬＡＮシステムにも関連する欠陥を克服するために、図６および７に関連して説明される様々な態様は、同期制御チャネル送信（例えば、要求、認可、パイロットなどを送信するための）、ＲＵＭの効率的使用（例えば、ＲｘＲＵＭは、それが干渉するトランスミッタがバックオフすることを望むときにレシーバによって送信されることができ、ＴｘＲＵＭは、それが干渉するその意図される１つまたは複数のレシーバに送信するその意図について知らせるためにトランスミッタによって送信されることができるなど）、ならびに再使用を介して改善される制御チャネルの信頼性（例えば、複数のＲＵＭがレシーバにおいて同時に復号化されることができるようにするための）などを使用することができる。
【００５４】
いくつかの特徴に従って、ＲｘＲＵＭは、そのトランスミッタをサーブする際にレシーバの不利の程度を示す係数で重み付けされることができる。そのときには、干渉するトランスミッタは、ＲｘＲＵＭを聞いたことと、次のアクションを決定するＲｘＲＵＭに関連する重みの値の両方を使用することができる。一例によれば、レシーバが単一フローを受信するときに、レシーバは、次式が成立するときにＲｘＲＵＭを送信することができ、
【数３】
0005420686.tif 000005
【００５５】
ここで、ＲＳＴ（ＲＵＭ送信しきい値(RUM sending threshold)）は、フローについてのスループットターゲットであり、Ｒａｃｔｕａｌは、短期移動平均(short-term moving average)として計算される実際に達成されるスループット（例えば、単極ＩＩＲフィルタを介した、...）であり、Ｔは、比が比較されるしきい値である。レシーバが特定のスロット中にそのトランスミッタをスケジュールすることができない場合、そのスロットについてのレートは、０であると仮定されることができる。そうでなければ、そのスロットにおいて達成されるレートは、平均化フィルタに供給されることができるサンプルである。しきい値、Ｔ、は、１に設定されることができ、その結果、実際のスループットが、ターゲットスループットを割り込むときはいつでも、重みが生成され、そして送信される。
【００５６】
トランスミッタは、それがＲｘＲＵＭメッセージを復号化することができる場合に、ＲｘＲＵＭを「聞く(hear)」ことができる。トランスミッタは、それがＲｘＲＵＭ送信元において引き起こすことになる干渉が、ＲＵＭ拒絶しきい値(RUM rejection threshold)（ＲＲＴ）より下にあることをトランスミッタが推定する場合に、ＲｘＲＵＭメッセージをオプションとして無視することができる。瞬間ＭＡＣ設計においては、Ｒｘ／ＴｘＲＵＭ、要求および認可は、制御情報に対する干渉の影響が低いことを保証するために、非常に低い再使用ファクタ（例えば、１／４以下）を有する制御チャネル上で送信されることができる。トランスミッタは、聞かれているＲｘＲＵＭの組を解析することができ、その意図されるレシーバから聞かれるＲｘＲＵＭが最高の重みのＲｘＲＵＭである場合に、トランスミッタは、「競合」に勝っており、チャネルを使用する権限があるトランスミッタを聞くことができる（例えばそれ自体のレシーバを含めて）すべてのレシーバに対して指示するＴｘＲＵＭを有する要求を送信することができる。ＴｘＲＵＭを送信するための他の状態、等しい重みの複数のＲｘＲＵＭの取扱い、複数のＴｘＲＵＭ、要求などの取扱いなどは、図６および７に関してさらに詳細に説明される。ＲｘＲＵＭ重みを設定すること、およびトランスミッタにおける対応するアクションは、競合の決定論的解決と、それによってＲＳＴの設定を介した共用される媒体、および重み付けされた公平な配分の改善された利用を可能にする。送り出されているＲｘＲＵＭの確率を制御するＲＳＴを設定することに加えて、ＲＲＴの設定は、システムが衝突回避モードで動作する程度を制御することを容易にすることができる。
【００５７】
ＲＳＴに関して、システム効率の観点から、衝突回避プロトコルまたは同時送信プロトコルが、どのプロトコルが特定のユーザコンフィギュレーションについてのより高いシステムスループットを達成するかについての解析に基づいて呼び出されることができるように、ＲＳＴは、使用されることができる。ピークレートの観点、または遅延を許容できないサービスから、ユーザは、システム効率を犠牲にして同時送信を使用して達成されることができるレートよりも高いレートでデータをバーストすることを許可されることができる。さらに、ある種のタイプの固定レートトラフィックチャネル（例えば、制御チャネル）は、特定のスループットが達成されることを必要とする可能性があり、ＲＳＴは、それに応じて設定されることができる。さらに、ある種のノードは、大きなトラフィックボリュームの集合に起因した、より高いトラフィック要件を有することができる。ワイヤレスバックホールが、ツリーのようなアーキテクチャにおいて使用され、レシーバがツリーのルートに近いノードをスケジュールしている場合に、これは特に当てはまる。
【００５８】
固定ＲＳＴを決定する１つの方法は、計画的セルラシステムにおいて達成される順方向リンクエッジスペクトル効率(forward link edge spectral efficiency)に基づいてＲＳＴを設定することである。セルエッジスペクトル効率(cell edge spectral efficiency)は、ＢＴＳが、近隣が常に存在する与えられたユーザに対して送信するときに、エッジユーザが、セルラシステムにおいて達成することができるスループットを示す。これは、そのように同時送信を用いたスループットが計画的セルラシステムにおけるセルエッジスループットよりも悪くないことを保証するためであり、この計画的セルラシステムは、スループットを（例えば、同時送信モードを使用して達成されることができるスループットよりも）改善する衝突回避モードへの遷移をトリガするために利用されることができる。他の特徴によれば、ＲＳＴは、異なるユーザについて異なったものとすることができる（例えば、ユーザは、異なるＲＳＴ、...に関連するサービスの異なるレベルに加入することができる）。
【００５９】
図６は、１つまたは複数の態様に従って、アドホック展開されるワイヤレスネットワークにおける柔軟な媒体アクセス制御（ＭＡＣ）を提供することを容易にするＴｘＲＵＭおよび要求を生成するための方法６００の説明図である。ＴｘＲＵＭは、トランスミッタが聞いているＲｘＲＵＭに基づいて、トランスミッタが、それが帯域幅にとって最も権限のあるものであると思う、リスニング範囲内のすべてのレシーバに通知することができる。ＴｘＲＵＭは、その存在を示す単一ビットの情報を搬送し、トランスミッタは、以下の方法でＴｘＲＵＭビットを設定することができる。
【００６０】
６０２において、トランスミッタは、それが１つのＲｘＲＵＭを送信している場合（すなわち、Ｂが実行している例においてＲｘＲＵＭを送信している場合）、それ自体のレシーバ（例えば、Ａは、Ｂと通信しており、ＣおよびＤと干渉し、次いでＡは、Ｂがそのレシーバであるとして、Ｂ、ＣおよびＤからＲｘＲＵＭを聞くことができると仮定する）からのＲｘＲＵＭを含めて、（例えば、あらかじめ決定された監視期間内で）１つまたは複数のＲｘＲＵＭをちょうど聞いているかどうかを決定することができる。ここにおいて説明されるように、「ノード」は、アクセス端末またはアクセスポイントとすることができ、レシーバとトランスミッタの両方を備えることもできる。したがって、この説明における「トランスミッタ」や「レシーバ」などの専門用語の使用は、それぞれ「ノードが、トランスミッタの役割を演じるとき」、および「ノードが、レシーバの役割を演じるとき」として解釈されるべきである。トランスミッタが、どのようなＲｘＲＵＭも受信していない場合、そのときには６０４において、トランスミッタは、ＴｘＲＵＭを送信せずに、そのレシーバに対して要求を送信する。トランスミッタが、少なくとも１つのＲｘＲＵＭを受信している場合、そのときには６０６において、ＲＸＲＵＭが、トランスミッタ自体のレシーバ（例えば、トランスミッタのノードにおけるレシーバ、...）から受信されているかどうかに関する決定が行われることができる。そうでない場合、そのときには６０８において、ＴｘＲＵＭと、関連する要求を送信することを控えるように決定が行われることができる。
【００６１】
６０６における決定が肯定的(positive)である場合、そのときには６１０において、トランスミッタ自体のレシーバから受信されたＲｘＲＵＭが、聞いている唯一のＲｘＲＵＭであるかどうかに関するさらなる決定が行われることができる。そうである場合、そのときには６１２において、トランスミッタは、送信すべきＴｘＲＵＭと要求を送信することができる。トランスミッタが、それ自体のレシーバからのＲｘＲＵＭを含めて複数のＲｘＲＵＭを受信している場合、そのときには６１４において、トランスミッタは、それに関連する重みに基づいてＲｘＲＵＭをソートするように進むことができる。６１６において、トランスミッタ自体のレシーバから受信されたＲｘＲＵＭが、すべての受信されたＲｘＲＵＭのうちの最高の重み（例えば、最大レベルの不利）を有するかどうかに関する決定が行われることができる。そうである場合、そのときには６１８において、トランスミッタは、送信すべきＴｘＲＵＭと要求の両方を送信することができる。６１６における決定が否定的である場合、そのときには６２０において、トランスミッタは、ＴｘＲＵＭならびに要求を送信することを控えることができる。トランスミッタが、それ自体のレシーバからのＲｘＲＵＭ、ならびに１つまたは複数の他のＲｘＲＵＭを受信し、すべてが等しい重みであるというシナリオにおいては、次いでトランスミッタは、確率１／ＮでＴｘＲＵＭと要求を送信することができ、ここでＮは、最高の重みを有するＲｘＲＵＭの数である。一態様においては、図６のロジックは、どのようなＴｘＲＵＭもなしに、そうでなくてたった１つの要求が適用されることができる。すなわち、ＲｘＲＵＭは、ノードが、特定のリソースについての要求を送信することができるか否かを制御する。
【００６２】
「不利(disadvantage)」は、ここにおいて使用されるように、例えば、与えられたノードについての実際の値に対するターゲット値の比の関数として決定されることができる。例えば、不利が、より高い値が望ましい場合のスループット、スペクトル効率、データレート、または何らかの他のパラメータの関数として測定されるとき、そのときにはノードが不利な状況に置かれるときに、実際の値は、ターゲット値よりも相対的に低いことになる。そのような場合には、ノードの不利のレベルを示す重み付けされた値は、実際の値に対するターゲット値の比の関数とすることができる。不利が基づいているパラメータが、低いことが望ましい（例えば、レイテンシ）場合には、実際の値に対するターゲット値の比の逆数が、重みを生成するために利用されることができる。ここにおいて使用されるように、別のノードに対して「よりよい(better)」状態を有するものとして説明されるノードは、不利のより少ないレベルを有するように理解されることができる（例えば、よりよい状態を有するノードは、比較される別のノードよりも、少ない干渉、少ないレイテンシ、高いデータレート、高いスループット、高いスペクトル効率などを有する）。
【００６３】
一例によれば、トランスミッタＡおよびトランスミッタＣは、それぞれレシーバＢおよびレシーバＤに対して同時に（例えば、トランスミッタが指定される時刻に送信し、レシーバが他の指定される時刻に送信する同期媒体アクセス制御スキームに応じて）送信することができる。レシーバＢは、それが経験している干渉の量を決定し、かつ／またはあらかじめ決定していることができ、トランスミッタＡやトランスミッタＣなどのトランスミッタに対してＲｘＲＵＭを送信することができる。レシーバＤは、レシーバＢと同時に送信するので、レシーバＤは、ＲｘＲＵＭをリッスンする必要がない。さらなる例として、レシーバＢからＲｘＲＵＭを聞くとすぐに、トランスミッタＣは、ＲｘＲＵＭの中に示されるようにレシーバＢの状態を評価することができ、レシーバＢの状態とそれ自体の状態（これは、Ｃに知られており、あるいはＤによって送信されるＲｘＲＵＭによって公示されることができる）を比較することができる。比較するとすぐに、いくつかのアクションが、トランスミッタＣによって取られることができる。
【００６４】
例えば、トランスミッタＣが、レシーバＢよりも低い干渉の程度に経験しているという決定をするとすぐに、トランスミッタＣは、送信する要求を送信することを控えることにより、バックオフすることができる。追加して、または代わりに、トランスミッタＣは、それが、レシーバＢにおいて（例えば、レシーバからのＲｘＲＵＭが、同じ、または一定のパワースペクトル密度で送信される場合に）どれだけ多くの干渉を引き起こしているかを評価し、または決定することができる。そのような決定は、レシーバＢに対するチャネル利得を推定することと、送信パワーレベルを選択することと、選択された送信パワーレベルにおけるトランスミッタＣからの送信によってレシーバＢにおいて引き起こされることになる干渉のレベルが、あらかじめ決定された許容可能なしきい値干渉レベルを超過するかどうかを決定することとを備えることができる。決定に基づいて、トランスミッタＣは、以前の送信パワーレベル以下のパワーレベルで送信することを選ぶことができる。
【００６５】
トランスミッタＣの状態（例えば、リソースの不足、干渉、...に関する不利のレベル）が、レシーバＢの状態にほぼ等しい場合には、トランスミッタＣは、それが聞いているＲｘＲＵＭに関連する重みを評価し、かつ／または対処することができる。例えば、トランスミッタＣが、３、５、５、および５の重みを有する４つのＲＵＭを聞いており、レシーバＢから聞かれるＲｘＲＵＭが５の重みのうちの１つを持つ（例えば、トランスミッタＣによって聞かれるすべてのＲｘＲＵＭのうちの最も重い重みに等しい重みを有する）場合、そのときにはＣは、確率１／３で要求を送信することになる。
【００６６】
図７は、１つまたは複数の態様に従って、送信すべき、要求についての認可を生成するための方法７００を示している。７０２において、レシーバは、それが最近に（例えば、あらかじめ定義された監視期間、...中に）聞いており、または受信している要求およびＴｘＲＵＭを評価することができる。要求が受信されていない場合、そのときには７０４において、レシーバは、認可メッセージを送信することを控えることができる。少なくとも１つの要求およびＴｘＲＵＭが受信されている場合、そのときには７０６において、受信された１つ（または複数）のＴｘＲＵＭが、レシーバがサーブするトランスミッタからであるかどうかに関する決定が行われることができる。そうでない場合、そのときには７０８において、レシーバは、認可を送信することを控えることができる。そうである場合、そのときには７１０において、レシーバは、すべての受信されたＴｘＲＵＭが、レシーバによってサーブされるトランスミッタからであるかどうかを決定することができる。
【００６７】
７１０における決定が肯定的である場合、そのときには７１２において、認可が生成され、１つまたは複数の要求するトランスミッタに対して送信されることができる。７１０における決定が否定的であり、レシーバが、レシーバがサーブしないトランスミッタからのＴｘＲＵＭに加えてそれ自体のトランスミッタからのＴＸＲＵＭを受信している場合、そのときには７１４において、送信レートの実行平均がＲｔａｒｇｅｔ以上であるかどうかに関する決定が行われることができる。送信レートの実行平均がＲｔａｒｇｅｔ以上である場合、そのときには７１６において、レシーバは、要求されたリソースを認可することを控えることができる。そうでない場合、そのときには７１８において、レシーバは、１／Ｎの確率で認可を送信することができ、ここでＮは受信されるＴｘＲＵＭの数である。別の態様においては、ＴｘＲＵＭは、ちょうどＲｘＲＵＭにおけるような重みを含むことができ、少なくとも１つがそのトランスミッタのうちの１つからで、１つが別のトランスミッタからの複数のＴｘＲＵＭが聞かれるときには、次いで最高の重みを有するＴｘＲＵＭがそのトランスミッタのうちの１つによって送信されたか否かに基づいて認可が行われる。そのトランスミッタのうちの１つに由来したものを含めて、最高の重みにおける複数のＴｘＲＵＭとの関係(tie)の場合には、認可は、確率ｍ／Ｎで送信され、ここでＮは、最高の重みで聞かれるＴｘＲＵＭの数であり、そのＮのうちのｍ個は、レシーバのトランスミッタに由来したものである。
【００６８】
関連した態様によれば、レシーバは、それが送信元からの顕著なデータを有するかどうかを定期的に、かつ／または絶えず評価することができる。これは、レシーバが、現在の要求を受信している場合、あるいはレシーバが、それが認可していない先の要求を受信している場合に当てはまる。どちらの場合にも、レシーバは、平均送信レートがＲｔａｒｇｅｔよりも下にあるときはいつでもＲｘＲＵＭを送り出すことができる。さらに、トランスミッタの要求の認可のすぐ後に、トランスミッタは、データフレームを送信することができ、このデータフレームは、レシーバによって受信されることができる。トランスミッタ−レシーバ対について顕著なデータが存在する場合、そのときにはトランスミッタもレシーバも、接続についての平均レート情報をアップデートすることができる。
【００６９】
図８は、１つまたは複数の態様に従って、与えられたノードに関連する不利のレベルに応じてＲＵＭを送信すべきチャネルの数を調整することにより、競合するノードの間の公平性を達成するための方法８００の説明図である。先行する図に関して上記されるように、レシーバが、乏しい通信状態を経験しており、それが直面する干渉の低減を望むことを示すために、ＲｘＲＵＭが送り出される。ＲｘＲＵＭは、重みを含んでおり、この重みは、ノードが経験している不利の程度を定量化している。一態様によれば、重みは、ＲＳＴ／平均スループットに等しく設定されることができる。ここで、ＲＳＴは、ノードが望む平均スループットである。送信ノードが複数のＲｘＲＵＭを聞くときは、その送信ノードは、それらの間の競合を解決するためにそれぞれの重みを利用することができる。最高の重みを有するＲｘＲＵＭが、トランスミッタ自体のレシーバを起源とする場合、そのときにはトランスミッタは、送信することを決定することができる。そうでない場合には、トランスミッタは、送信することを控えることができる。
【００７０】
ＴｘＲＵＭは、差し迫った送信を通知するためにトランスミッタによって送り出され、２つの目的を有する。第１に、ＴｘＲＵＭは、レシーバにそのＲｘＲＵＭが局所的な競合に勝ったことを知らせ、それ故にそれは、送信のスケジュールを進める(go schedule)ことができる。第２に、ＴｘＲＵＭは、差し迫った干渉について他の隣接するレシーバに通知する。システムが、複数のチャネルをサポートするときに、ＲＵＭは、重みに加えてビットマスクを搬送することができる。ビットマスクは、このＲＵＭが適用可能なチャネルを示す。
【００７１】
ＲｘＲＵＭを受信するノードは、送信することを控えるように誘導される可能性があるので、ＲｘＲＵＭにより、ノードは、そのすぐ近隣における干渉をクリアすることができるようになる。重みは、公平な競合を可能にする（例えば、最大の不利を伴うノードが勝つ）が、マルチチャネルＭＡＣを有することは、別の自由度を提供することができる。ノードがＲｘＲＵＭを送信することができるチャネルの数は、もっと急速に追いつくために、非常に乏しい履歴を有するノードに対する不利のその程度に基づいたものにすることができる。ＲｘＲＵＭが正常であり、それに応じてノードによって受信される送信レートが、その状態を改善するとき、ノードは、それがＲｘＲＵＭを送信するチャネルの数を減少させることができる。厳しい輻輳に起因して、ＲＵＭが最初に成功せず、スループットが改善しない場合、ノードは、それがＲＵＭを送信するチャネルの数を増大させることができる。非常に輻輳した状況においては、ノードは、非常に不利な状況に置かれるようになる可能性があり、すべてのチャネルについてＲｘＲＵＭを送信することができ、それによって単一のキャリアの場合へと劣化する。
【００７２】
本方法によれば、８０２において、不利のレベルは、ノードについて決定されることができ、ＲＵＭは、リスニング範囲内の他のノードに対する不利のレベルを示すように生成されることができる。例えば、不利のレベルは、ノードにおける受信サービスのレベルの関数として決定されることができ、この受信サービスのレベルは、レイテンシ、ＩＯＴ、Ｃ／Ｉ、スループット、データレート、スペクトル効率など、様々なパラメータによって影響を受ける可能性がある。８０４において、ＲＵＭを送信すべきチャネルの数が、選択されることができ、このチャネルの数は、不利のレベルにふさわしいものとすることができる（例えば、不利が大きくなるほど、チャネルの数は大きくなる）。８０６において、ＲＵＭは、それらのチャネルについて送信されることができる。８０８において、サービス品質(quality of service)（ＱｏＳ）が、ノードについて測定されることができ、不利は、ノードの状態が改善しているかどうかを決定するために再評価されることができる。８１０において、測定されたＱｏＳに基づいて、後続のＲＵＭが送信されるチャネルの数は、調整されることができる。例えば、ノードのＱｏＳが改善せず、または悪化しなかった場合、そのときには８１０において、ノードにおいて受信されるサービスのレベルを改善するために、後続のＲＵＭが送信されるチャネルの数は、増大させられることができる。ノードのＱｏＳが改善している場合、そのときには８１０において、後続のＲＵＭが送信されるチャネルの数は、リソースを節約するために減少させられることができる。本方法は、ＲＵＭ送信、サービス評価、チャネル数調整のさらなる繰り返しのために８０６へと戻ることができる。ＲＵＭが送信されるチャネルの数を増大させるか、または減少させるかについての決定は、ノードによって使用されているＱｏＳメトリックの関数とすることもできる。例えば、ＲＵＭが（不利の継続されるレベル、または悪化するレベルに基づいて）送信されるチャネルの数を増大させることは、スループット／データレートタイプのメトリックでは、意味があることもあるが、レイテンシメトリックでは、そうではないこともある。
【００７３】
関連した態様によれば、ノードベースおよび／またはトラフィックベースの優先順位は、より高い優先順位を有するノードが、より低い優先順位のノードよりも大きな数のチャネルを奪い取る(commandeer)ことができるようにすることにより、組み込まれることができる。例えば、不利な状況に置かれたビデオ呼出し元(video caller)は、同時に８チャネルを受信することができるが、同様に不利な状況に置かれた音声呼出し元(voice caller)は、２つのキャリアを受信するにすぎない。ノードが取得することができるチャネルの最大数は、制限されることもできる。上限は、搬送されているトラフィックのタイプ（例えば、小さな音声パケットは、一般的に数チャネルよりも多くは必要としない）、ノードのパワークラス（例えば、弱いトランスミッタは、あまりにも大きすぎる帯域幅上でそのパワーを分散させなくてもよい）、レシーバに対する距離、および結果として生じる受信ＰＳＤなどによって決定されることができる。このようにして、方法８００は、さらに干渉を低減させ、リソースの節約を改善することができる。さらに他の態様は、ノードに割り付けられたチャネルの数を示すためにビットマスクを使用することを提供する。例えば、６ビットのマスクは、ＲＵＭが６チャネルまでについて送信されることができることを示すために利用されることができる。ノードは、干渉するノードが、割り付けられたサブキャリアのすべてまたはサブセット上で送信することを控えることをさらに要求することができる。
【００７４】
図９は、１つまたは複数の態様に従う、一定のパワースペクトル密度（ＰＳＤ）での２つのノードの間におけるＲｘＲＵＭ送信の説明図である。ノードが厳しい干渉を経験するときに、そのノードは、他のノードによって引き起こされる干渉を制限することから恩恵を得ることができ、これは、次にはよりよい空間再使用と改善された公平さを可能にする。８０２．１１ファミリのプロトコルにおいては、送信要求(request-to-send)（ＲＴＳ）パケットと、送信可(clear-to-send)（ＣＴＳ）パケットが、公平さを達成するために使用される。ＲＴＳを聞くノードは、送信を停止し、そのノードにより、要求するノードはパケットを正常に送信することができるようになる。しかしながら、多くの場合にこのメカニズムは、不必要にオフにされる多数のノードをもたらす。さらに、ノードは、全帯域幅にわたってフルパワーでＲＴＳとＣＴＳとを送信することができる。一部のノードが他よりも高いパワーを有する場合、そのときには異なるノードについてのＲＴＳとＣＴＳについての範囲は、異なったものになる可能性がある。したがって、高パワーノードは、低パワーノードについて範囲外になるので、高パワーノードによって強く干渉を受ける可能性がある低パワーノードは、ＲＴＳ／ＣＴＳを介して高パワーノードを遮断することができないこともある。そのような場合には、高パワーノードは、低パワーノードに対して恒久的な「隠された」ノードである。たとえ低パワーノードが、そのトランスミッタまたはレシーバのうちの１つに対してＲＴＳまたはＣＴＳを送信するとしても、高パワーノードを遮断することはできなくなる。したがって、８０２．１１ＭＡＣは、すべてのノードが等しいパワーを有することを必要とする。これは、特にカバレージの観点から性能における制限を導入する。
【００７５】
図９のメカニズムは、１つまたは複数のチャネルについて望ましくないように低いＳＩＮＲを経験しているノードにおいて、レシーバからのＲＵＭをブロードキャストすることを容易にする。ＲＵＭは、ノードの送信パワー能力に関係なく一定の知られているＰＳＤで送信されることができ、受信ノードは、受信ＰＳＤを観察し、それ自体とＲＵＭ送信ノードとの間のチャネル利得を計算することができる。ひとたびチャネル利得が知られた後に、受信ノードは、ＲＵＭ送信ノードにおいて（例えば、それ自体の送信パワーに部分的に基づいて）引き起こす可能性の高い干渉の量を決定することができ、一時的に送信することを控えるか否かを決定することができる。
【００７６】
ネットワークの中のノードが異なる送信パワーを有する場合には、ＲＵＭを聞くノードは、それらのそれぞれの知られている送信パワーと計算されたチャネル利得に基づいて遮断すべきかどうかを決定することができる。したがって、低パワートランスミッタは、それがかなりの干渉を引き起こすことにならないので、不必要に遮断する必要はない。このようにして、干渉を引き起こしているノードだけが、遮断されることができ、それによって従来のＲＴＳ−ＣＴＳメカニズムの前述の欠陥を緩和する。
【００７７】
例えば、第１のノード（ノードＡ）は、チャネル、ｈ上で第２のノード（ノードＢ）からＲｘＲＵＭを受信することができる。ＲｘＲＵＭは、パワーレベル、ｐＲｘＲＵＭで送信されることができ、受信信号値、Ｘは、Ｘが、送信パワー、ｐＲｘＲＵＭによって乗算されたチャネル、ｈに雑音を加えた和に等しくなるように評価されることができる。ノードＡは、その後、受信信号値、ＸをｐＲｘＲＵＭによって除算することにより、ｈを推定するようにチャネル推定プロトコルを実行することができる。ノードＢの重みがノードＡの重みよりも高い場合、そのときには、ノードＡは、さらに  
ＩＡ＝ｈｅｓｔ＊ｐＡ
となるように、望ましい送信パワー（ｐＡ）によってチャネル推定値を乗算することにより、ノードＡがノードＢに対して引き起こす可能性がある干渉を推定することができ、ここで、ＩＡは、ノードＢにおいてノードＡによって引き起こされる干渉である。
【００７８】
一例に応じて、最大送信パワー、Ｍ、が２ワットであるように決定され、最小送信帯域幅が、５ＭＨｚであり、その結果、最大ＰＳＤが２ワット／５ＭＨｚ、すなわち０．４Ｗ／ＭＨｚである場合のシステムを考察する。システムにおける最小送信パワーは、２００ｍＷであると仮定する。そのときには、ＲＵＭは、システムにおける最大許容ＰＳＤの範囲に等しくなるような範囲を有するように設計される。２００ｍＷトランスミッタについてのこのパワースペクトル密度とＲＵＭについてのデータレートが、そのときにはこれらの範囲に等しくなるように選択される。前述の例は、例示の目的のために存在しており、ここにおいて説明されるシステムおよび／または方法は、以上で提示された特定の値だけには限定されず、そうでなくて適切な任意の値を利用することができることが理解されるであろう。
【００７９】
図１０は、１つまたは複数の態様に従って、第２のノードにおいて第１のノードによって引き起こされることになる干渉の量を推定することを容易にするＲＵＭ送信について一定のＰＳＤを使用するための方法１０００の説明図である。１００２において第１のノードは、第２のノードから、知られているＰＳＤでＲｘＲＵＭを受信することができる。１００４において、第１のノードは、その知られているＰＳＤに基づいてそれ自体と第２のノードとの間のチャネル利得を計算することができる。１００６において、第１のノードは、１００４において計算されるチャネル利得に少なくとも部分的に基づいて、第１のノードが第２のノードにおいて引き起こすことができる干渉の量を推定するために、それ自体の送信に関連する送信ＰＳＤを使用することができる。第１のノードが送信すべきか、あるいは送信することを控えるべきかを決定するために、１００８において、干渉推定値は、あらかじめ決定されたしきい値と比較されることができる。推定値が、あらかじめ決定されたしきい値よりも大きい場合、そのときには１０１２において、第１のノードは、送信すること（これは、データを送信すること、または要求を送信することのいずれをも含むことができる）を控えることができる。推定値が、あらかじめ決定されたしきい値よりも小さい場合、そのときには１０１０において、第１のノードは、それが第２のノードと実質的に干渉しないので、送信することができる。第２のノードによって送信されるＲｘＲＵＭは、第２のノードに対する与えられた近接性内の複数の受信ノードによって聞かれることができ、各受信ノードは、それが送信すべきか否かを評価するために方法１０００を実行することができることが認識されるであろう。
【００８０】
別の例によれば、第２のノードは、例えば２００ｍＷで送信することができ、第１のノードは、２ワットで送信することができる。そのような場合には、第２のノードは、ｒの送信半径を有することができ、第１のノードは、１０ｒの送信半径を有することができる。したがって、第１のノードは、第２のノードが、一般的に送信し、または受信するよりも第２のノードから１０倍までさらに離れて位置付けられることができるが、依然としてそのより高い送信パワーのために、第２のノードと干渉する可能性があることもある。そのような場合には、第２のノードは、第１のノードがＲｘＲＵＭを受信することを保証するために、ＲｘＲＵＭ送信中にその送信ＰＳＤをブーストする(boost)ことができる。例えば、第２のノードは、最大許容可能ＰＳＤでＲｘＲＵＭを送信することができ、この最大許容可能ＰＳＤは、与えられたネットワークについてあらかじめ定義されることができる。そのときには、第１のノードは、上記のように方法１０００を実行し、送信すべきか否かを決定することができる。
【００８１】
図１１は、様々な態様に従って、計画的ワイヤレス通信環境および／またはアドホックワイヤレス通信環境における干渉制御パケットに応答するための方法１１００を示している。１１０２において、第１のノードからのＲｘＲＵＭが、第２のノードにおいて受信されることができる。１１０４において、メトリック値が、ＲＵＭに関連するあらかじめ決定された値に少なくとも部分的に基づいて生成されることができる。例えば、ＲＵＭが１１０２において受信されるときに、受信ノード（例えば、第２のノード）は、ＲＵＭ受信パワー、ＲＵＭ＿Ｔｘ＿ＰＳＤ（システムの知られている定数）、およびＤａｔａ＿Ｔｘ＿ＰＳＤ（ＲＵＭ受信ノードがそのデータを送信することを望むことになるＰＳＤ）を推定することにより、ＲＵＭ＿Ｒｘ＿ＰＳＤを知り、あるいは決定することができる。ＲＵＭ＿Ｔｘ＿ＰＳＤおよびＲＵＭ＿Ｒｘ＿ＰＳＤはまた、ｄＢｍ／Ｈｚで量子化され、ここで前者は、すべてのノードについて定数であり、後者はチャネル利得に依存する。同様に、Ｄａｔａ＿Ｔｘ＿ＰＳＤは、ｄＢｍ／Ｈｚで測定され、ノードに関連するパワークラスに依存する可能性がある。１１０４において生成されるメトリックは、  
ｍｅｔｒｉｃ
＝Ｄａｔａ＿Ｔｘ＿ＰＳＤ＋（ＲＵＭ＿Ｒｘ＿ＰＳＤ−ＲＵＭ＿Ｔｘ＿ＰＳＤ）  
として表されることができ、この式は、ＲＵＭ−送信ノード（例えば、ＴｘＲＵＭについての）、あるいはＲＵＭ−受信ノード（例えば、ＲｘＲＵＭについての）が、他のノードにおいて引き起こすことができる可能性のある干渉の推定値を表す。
【００８２】
１１０６において、メトリック値は、ｄＢｍ／Ｈｚで定義されるあらかじめ決定されたＲＵＭ拒絶しきい値（ＲＲＴ）と比較されることができる。メトリックがＲＲＴ以上である場合、そのときには１１０８において、第２のノードは、ＲＵＭに応答することができる。メトリックがＲＲＴよりも小さい場合、そのときには１１１０において、第２のノードは、ノードに応答することを控えることができる（例えば、それが第１のノードと実質的に干渉しないことになるので）。１１０８におけるＲＵＭに対する応答は、あらかじめ定義された値、Ω、より大きい干渉オーバーサーマル（ＩＯＴ）比に関連した干渉を除去することができ、これは熱雑音Ｎ０に対するデシベルで測定され、これは、ｄＢｍ／Ｈｚで測定される（例えば、ｍｅｔｒｉｃ≧Ω＋Ｎ０となるように）。すべての実質的に可能性のある干渉信号(interferer)が静かであることを保証するために、ＲＲＴは、ＲＲＴ＝Ω＋Ｎ０となるように設定されることができる。ＲＲＴしきい値が満たされることになるか否かを決定するタスクは、ＲＵＭ上の公示された重みが、ＲＵＭ送信元がＲＵＭ受信側よりも大きな不利の程度を有することを示すときだけに、ＲｘＲＵＭ受信ノードによって引き受けられることに注意すべきである。
【００８３】
図１２は、上記された様々な態様に従って、ＲｘＲＵＭを生成するための方法１２００の説明図である。１２０２において、ＲＵＭは、第１のノードにおいて生成されることができ、ここでＲＵＭは、第１のあらかじめ決定されたしきい値が満たされているあるいは超過されていることを示す情報、を備える。第１のあらかじめ決定されたしきい値は、例えば干渉オーバーサーマル雑音（ＩＯＴ）のレベル、データレート、キャリア対干渉比（Ｃ／Ｉ）、スループットのレベル、スペクトル効率のレベル、レイテンシのレベル、または第１のノードにおけるサービスが、測定されることができる他の適切な任意の尺度を表すことができる。１２０４において、ＲＵＭは、第２のあらかじめ決定されたしきい値が超過されている程度を示すために重み付けされることができる。一部の態様によれば、重みの値は、量子化された値とすることができる。
【００８４】
第２のあらかじめ決定されたしきい値は、例えば干渉オーバーサーマル雑音（ＩＯＴ）のレベル、データレート、キャリア対干渉比（Ｃ／Ｉ）、スループットのレベル、スペクトル効率のレベル、レイテンシのレベル、または第１のノードにおけるサービスのレベルが、測定されることができる他の適切な任意の尺度を表すことができる。第１および第２のあらかじめ決定されたしきい値は、実質的に等しくすることができるが、それらは、そうでなくてもよい。さらに、第１および第２のあらかじめ決定されたしきい値は、異なるパラメータ（例えば、それぞれＩＯＴおよびＣ／Ｉ、それぞれレイテンシおよびデータレート、あるいは説明されるパラメータの他の任意の置換）に関連づけられることもできる。１２０６において、重み付けされたＲＵＭは、１つまたは複数の他のノードへと送信されることができる。
【００８５】
図１３は、１つまたは複数の態様に従って、１つまたは複数の受信ＲｘＲＵＭに応答するための方法１３００の説明図である。１３０２において、ＲｘＲＵＭは、第１のノードにおいて第２の（またはより多くの）１つ（または複数）のノードから受信されることができる。ＲｘＲＵＭは、第２のノードの状態に関連した情報（例えば、上記されるような不利のレベル）を備えることができ、この情報は、１３０４において、第２のノードの状態を決定するために第１のノードによって利用されることができる。１３０６において、第２のノードの状態は、第１のノードの状態と比較されることができる。その比較は、１３０８において、データを送信すべきかどうかについての決定を可能にすることができる。
【００８６】
例えば、その比較が、第１のノードの状態が第２のノードの状態よりもよいことを示す場合、そのときには第１のノードは、（例えば、バックオフし、より不利な第２のノードが、より効果的に通信できるようにするために）データを送信することを控えることができる。追加して、または代わりに、第１のノードの状態が、第２のノードの状態よりもよい場合、第１のノードは、図１０に関して上記されるように第１のノードが第２のノードにおいて引き起こすことができる干渉のレベルを決定するように進むことができる。そのような決定は、例えば、第２のノードが、ＲｘＲＵＭを送信した際の知られている一定のパワー、または知られている一定のパワースペクトル密度を利用することと、第１のノードと第２のノードとの間のチャネル利得を推定することと、第１のノードから第２のノードへの送信についての送信パワーレベルを選択することと、選択されたパワーレベルにおける送信が第２のノードに引き起こすことになる干渉のレベルを推定することと、推定された干渉レベルがあらかじめ決定された許容可能な干渉しきい値レベルを超過するかどうかを決定することを備えることができる。
【００８７】
比較が、第１のノードの状態が第２のノードの状態よりも悪いことを示す場合には、第１のノードは、ＲＵＭを無視することを選択することができる。別の態様によれば、第１のノードと第２のノードが、実質的に等しい状態を有する場合には、重み処理メカニズムが、図６に関して上記されるように使用されることができる。さらに他の態様によれば、ＲＵＭに含まれる情報は、図１１に関して説明されるようにＲＵＭに応答すべきか否かを決定するためにＲＵＭ拒絶しきい値（ＲＲＴ）と比較されることができるメトリック値を生成するために利用されることができる。さらに他の態様によれば、１３０８においてデータを送信する決定をするとすぐに、そのような送信は、第１のチャネル上で通信データを送信すること、第１のチャネル上で送信要求メッセージを送信すること、および／または第２のチャネル上で送信要求メッセージを送信することを備えることができ、これは、第１のチャネル上でデータを送信することを要求する。
【００８８】
別の態様においては、スケジューラがノードにおけるＲｘＲＵＭ処理の結果を知ることを助ける要求と一緒に、追加情報が、含められることができる。例えば、ＡはデータをＢに、そしてＣはＤに送信するものと仮定する。ＢとＤは両方ともＲｘＲＵＭを送り出すが、Ｂによって使用される重みは、Ｄよりも高い（より不利な状況に置かれる）ものと仮定する。そのときには、Ａは、（それが受信されたＲｘＲＵＭを処理し、そのレシーバ、すなわちＢが最も不利な状況に置かれていることを結論づけているので）要求をＢに対して送信し、それが競合に勝っており、それが将来においては勝ち続けないこともあるので迅速にスケジュールされるべきであることを示す「ベスト(Best)」ビットを含むことになる。対照的に、Ｃは、ＲＵＭを処理し、それが要求できないことを結論づけることになる。しかしながら、Ｃは、たとえＣが現在スケジュールされることができないとしても、Ｃが送信すべきデータを有し、Ｄが、ＲｘＲＵＭを送信することを固執すべきであることをＤに知らせることができる。例えば、Ｄがどのような要求も聞かない場合、Ｄは、そのトランスミッタのどれも送信すべきどのようなデータも持たずＲｘＲＵＭを送信することを停止することができることを誤って結論づける可能性がある。これを防止するために、Ｃは、それがＲｘＲＵＭによって他から「ブロックされる」という指示を有する要求を送信する。これは、Ｃを現在はスケジュールしないが、Ｃが何らかのポイントで競合に勝つことになることを希望してＲｘＲＵＭを送信し続ける、Ｄに対する指示としての役割を果たすことになる。
【００８９】
図１４は、例示のワイヤレス通信システム１４００を示している。ワイヤレス通信システム１４００は、簡潔さのために１つの基地局と１つの端末を示している。しかしながら、本システムは、複数の基地局および／または複数の端末を含むことができ、ここで追加の基地局および／または端末は、以下で説明される例示の基地局と端末では、実質的に同様、または異なったものとすることができることが認識されるべきである。さらに、基地局および／または端末は、それらの間のワイヤレス通信を容易にするために、ここにおいて説明される方法（図２、５〜８、および１０〜１３）および／またはシステム（図１、３、４、９、および１５〜１８）を使用することができることが認識されるべきである。例えば、システム１４００におけるノード（例えば、基地局および／または端末）は、上記方法（例えば、ＲＵＭを生成すること、ＲＵＭに応答すること、ノードの不利を決定すること、ＲＵＭ送信のためのサブキャリアの数を選択すること、...）のうちの任意のものを実行するための命令、ならびにここにおいて説明される様々なプロトコルを実行するためのそのようなアクションおよび他の適切な任意のアクションを実行することに関連するデータを記憶し、実行することができる。
【００９０】
次に図１４を参照すると、ダウンリンク上でアクセスポイント１４０５において、送信（ＴＸ）データプロセッサ１４１０は、トラフィックデータを受信し、フォーマットし、符号化し、インターリーブし、そして変調し（またはシンボルマッピングし）、変調シンボル（「データシンボル」）を供給する。シンボル変調器１４１５は、データシンボルおよびパイロットシンボルを受信し処理し、そしてシンボルのストリームを供給する。シンボル変調器１４２０は、データシンボルおよびパイロットシンボルを多重化し、それらをトランスミッタユニット(transmitter unit)（ＴＭＴＲ）１４２０へと供給する。各送信シンボルは、データシンボル、パイロットシンボル、またはゼロの信号値であってもよい。パイロットシンボルは、各シンボル期間において絶えず送信されることができる。パイロットシンボルは、周波数分割多重化されたもの(frequency division multiplexed)（ＦＤＭ）、直交周波数分割多重化されたもの(orthogonal frequency division multiplexed)（ＯＦＤＭ）、時分割多重化されたもの(time division multiplexed)（ＴＤＭ）、周波数分割多重化されたもの（ＦＤＭ）、あるいは符号分割多重化されたもの(code division multiplexed)（ＣＤＭ）とすることができる。
【００９１】
ＴＭＴＲ１４２０は、シンボルのストリームを受信し、１つまたは複数のアナログ信号へと変換し、ワイヤレスチャネル上の送信に適したダウンリンク信号を生成するために、さらにそれらのアナログ信号を条件づける（例えば、増幅し、フィルタをかけ、そして周波数アップコンバートする）。次いでダウンリンク信号は、アンテナ１４２５を介して端末へと送信される。端末１４３０において、アンテナ１４３５は、ダウンリンク信号を受信し、受信信号をレシーバユニット(receiver unit)（ＲＣＶＲ）１４４０へと供給する。レシーバユニット１４４０は、受信信号を条件づけ（例えば、フィルタをかけ、増幅し、周波数ダウンコンバートし）、サンプルを取得するために条件づけられた信号をデジタル化する。シンボル復調器１４４５は、チャネル推定のために受信パイロットシンボルを復調し、プロセッサ１４５０へと供給する。シンボル復調器１４４５は、さらにダウンリンクについての周波数応答推定値をプロセッサ１４５０から受信し、データシンボル推定値（これは、送信データシンボルの推定値である）を取得するために受信データシンボル上でデータ復調を実行し、そしてデータシンボル推定値をＲＸデータプロセッサ１４５５へと供給し、このＲＸデータプロセッサは、送信されたトラフィックデータを回復するために、データシンボル推定値を復調し（すなわち、シンボル逆マッピングし）、デインターリーブし、復号化する。シンボル復調器１４４５とＲＸデータプロセッサ１４５５による処理は、アクセスポイントにおけるそれぞれシンボル変調器１４１５とＴＸデータプロセッサ１４１０による処理と相補的である。
【００９２】
アップリンク上で、ＴＸデータプロセッサ１４６０は、トラフィックデータを処理し、データシンボルを供給する。シンボル変調器１４６５は、パイロットシンボルを伴うデータシンボルを受信し、多重化し、変調を実行し、シンボルのストリームを供給する。次いでトランスミッタユニット１４７０は、アップリンク信号を生成するためにシンボルのストリームを受信し、処理し、このアップリンク信号は、アンテナ１４３５によってアクセスポイント１４０５へと送信される。
【００９３】
アクセスポイント１４０５において、端末１４３０からのアップリンク信号は、アンテナ１４２５によって受信され、サンプルを取得するためにレシーバユニット１４７５によって処理される。次いでシンボル復調器１４８０は、サンプルを処理し、受信パイロットシンボルとアップリンクについてのデータシンボル推定値を供給する。ＲＸデータプロセッサ１４８５は、端末１４３０によって送信されるトラフィックデータを回復するためにデータシンボル推定値を処理する。プロセッサ１４９０は、アップリンク上で送信するアクティブ端末ごとにチャネル推定を実行する。複数の端末は、アップリンク上でそれらのそれぞれ割り当てられた組のパイロットサブバンド上において同時にパイロットを送信することができ、ここでパイロットサブバンドの組は、インターレースされることができる。
【００９４】
プロセッサ１４９０および１４５０は、それぞれアクセスポイント１４０５および端末１４３０においてオペレーションを指示する（例えば、制御し、調整し、管理するなど）。それぞれのプロセッサ１４９０および１４５０は、プログラムコードおよびデータを記憶するメモリユニット（図示されず）に関連づけられることができる。プロセッサ１４９０および１４５０はまた、それぞれアップリンクおよびダウンリンクについての周波数とインパルス応答推定値を導き出すために計算を実行することもできる。
【００９５】
多重アクセスシステム（例えば、ＦＤＭＡ、ＯＦＤＭＡ、ＣＤＭＡ、ＴＤＭＡなど）では、複数の端末は、アップリンク上で同時に送信することができる。そのようなシステムでは、パイロットサブバンドは、異なる端末の間で共用されることができる。チャネル推定技法は、端末ごとのパイロットサブバンドが全体の動作帯域に（もしかすると帯域エッジを除いて）及ぶ場合に、使用されることができる。そのようなパイロットサブバンド構成は、端末ごとの周波数ダイバーシティを得るために望ましいことになる。ここにおいて説明される技法は、様々な手段によってインプリメントされることができる。例えば、これらの技法は、ハードウェア、ソフトウェア、またはそれらの組合せの形でインプリメントされることができる。ハードウェアインプリメンテーションでは、チャネル推定のために使用される処理ユニットは、ここにおいて説明される機能を実行するように設計された１つまたは複数の特定用途向け集積回路(application specific integrated circuit)（ＡＳＩＣ）、デジタル信号処理プロセッサ(digital signal processor)（ＤＳＰ）、デジタル信号処理デバイス(digital signal processing device)（ＤＳＰＤ）、プログラマブルロジックデバイス(programmable logic device)（ＰＬＤ）、フィールドプログラマブルゲートアレイ(field programmable gate array)（ＦＰＧＡ）、プロセッサ、コントローラ、マイクロコントローラ、マイクロプロセッサ、他の電子ユニット、あるいはそれらの組合せの内部にインプリメントされることができる。ソフトウェアでは、インプリメンテーションは、ここにおいて説明される機能を実行する手段（例えば、プロシージャ、ファンクションなど）を介したものとすることができる。ソフトウェアコードは、メモリユニットに記憶され、プロセッサ１４９０および１４５０によって実行されることができる。
【００９６】
ソフトウェアインプリメンテーションでは、ここにおいて説明される技法は、ここで説明される機能を実行するモジュール／手段（例えば、プロシージャ、ファンクションなど）を用いてインプリメントされることができる。ソフトウェアコードは、メモリユニットに記憶され、プロセッサによって実行されることができる。メモリユニットは、プロセッサの内部に、あるいはプロセッサの外部にインプリメントされることができ、この場合には、メモリユニットは、当技術分野において知られているような様々な手段を経由してプロセッサに通信的に結合されることができる。
【００９７】
次に図１５〜１８と、それに関して説明される様々なモジュールを参照すると、送信するためのモジュールは、例えばトランスミッタを備えることができ、かつ／またはプロセッサなどの形でインプリメントされることができる。同様に、受信するためのモジュールは、レシーバを備えることができ、かつ／またはプロセッサなどの形でインプリメントされることができる。さらに、比較し、決定し、計算し、かつ／または他の解析的なアクションを実行するためのモジュールは、様々なそれぞれのアクションを実行するための命令を実行するプロセッサを備えることができる。
【００９８】
図１５は、様々な態様に従って、ワイヤレスデータ通信を容易にする装置１５００の説明図である。装置１５００は、一連の相互に関連した機能ブロックとして表され、これらの機能ブロックは、プロセッサ、ソフトウェア、またはそれらの組合せ（例えば、ファームウェア）によってインプリメントされる機能を表すことができる。例えば、装置１５００は、様々な図に関して上記されるような様々な動作を実行するためのモジュールを提供することができる。装置１５００は、送信について望ましいチャネルの数を決定するためのモジュール１５０２を備える。決定は、装置が使用されるノードに関連する重み、１つまたは複数の他のノードに関連する重み、送信のために使用可能なチャネルの数などの関数として実行されることができる。さらに各重みは、重みに関連するノードによってサポートされるフローの数の関数とすることもできる。追加して、または代わりに、与えられた重みは、ノードによって経験される干渉の関数とすることもできる。
【００９９】
装置１５００は、ノードが要求を送信することができるチャネルを選択する選択するためのモジュール１５０４をさらに備える。選択するためのモジュール１５０４は、さらにどのチャネルが使用可能であり、どのチャネルが使用可能でないかを決定するために受信リソース利用メッセージ（ＲＵＭ）を評価することができる。例えば、各ＲＵＭは、使用不可能なチャネルに関連する情報を備えることができ、選択するためのモジュール１０５４は、ＲＵＭによって示されていない与えられたチャネルが使用可能であることを決定することができる。送信するためのモジュール１５０６は、選択するためのモジュール１５０４によって選択される少なくとも１つのチャネルについての要求を送信することができる。装置１５００は、アクセスポイント、アクセス端末などの中で使用されることができ、ここにおいて説明される様々な方法を実行する適切な任意の機能を備えることができることが認識されるであろう。
【０１００】
図１６は、１つまたは複数の態様に従って、リソース利用メッセージ（ＲＵＭ）を使用してワイヤレス通信を容易にする装置１６００の説明図である。装置１６００は、一連の相互に関連した機能ブロックとして表され、これらの機能ブロックは、プロセッサ、ソフトウェア、またはそれらの組合せ（例えば、ファームウェア）によってインプリメントされる機能を表すことができる。例えば、装置１６００は、以前の図に関して上記されるような様々な動作を実行するためのモジュールを提供することができる。装置１６００は、ノードについての不利のレベルを決定する決定するためのモジュール１６０２と、決定するためのモジュール１６０２が、ノードにおけるレベルまたは受信サービスが、あらかじめ決定されたしきい値レベル以下であることを決定する場合に、ＲＵＭを生成するＲＵＭを生成するためのモジュール１６０４とを備える。選択するためのモジュール１６０６は、ＲＵＭを送信すべき１つまたは複数のリソースを選択することができ、次いでＲＵＭを生成するためのモジュール１６０４は、ＲＵＭの中でそのようなチャネルを示すことができる。次いで送信するためのモジュール１６０８は、ＲＵＭを送信することができる。
【０１０１】
リソースを選択するためのモジュール１６０６は、後続のＲＵＭが、受信サービスのレベルが以前のＲＵＭに応じて改善されていることを決定するためのモジュール１６０２による決定に基づいて送信される、選択されるリソースの数を調整することができる。例えば、そのようなシナリオにおいては、選択するためのモジュール１６０６は、ノードにおける受信サービスの改善されたレベルに応じて後続のＲＵＭの中に示されるリソースの数を減少させることができ、受信サービスの低減させられたレベルまたは静的なレベルに応じて選択されたリソースの数を増大させることができる。他の態様によれば、決定するためのモジュール１６０２は、１つまたは複数の干渉オーバーサーマル雑音、レイテンシ、ノードにおいて達成されるデータレート、スペクトル効率、スループット、キャリア対干渉比、あるいはノードにおいて受信されるサービスの他の適切な任意のパラメータの関数としてノードにおける受信サービスのレベルを決定することができる。装置１６００は、アクセスポイント、アクセス端末などの中で使用されることができ、ここにおいて説明される様々な方法を実行する適切な任意の機能を備えることができることが認識されるであろう。
【０１０２】
図１７は、様々な態様に従って、不利のレベルを示すためにリソース利用メッセージ（ＲＵＭ）を生成することと、ＲＵＭを重み付けすることとを容易にする装置１７００の説明図である。装置１７００は、一連の相互に関連した機能ブロックとして表され、これらの機能ブロックは、プロセッサ、ソフトウェア、またはそれらの組合せ（例えば、ファームウェア）によってインプリメントされる機能を表すことができる。例えば、装置１７００は、上記される様々な図に関して上記されるような様々な動作を実行するためのモジュールを提供することができる。装置１７００は、ＲＵＭを生成するためのモジュール１７０２を備え、このモジュールは、第１のあらかじめ決定されたしきい値が超過されていることを示すＲＵＭを生成することができる。第１のあらかじめ決定されたしきい値は、干渉オーバーサーマル雑音（ＩＯＴ）、データレート、キャリア対干渉比（Ｃ／Ｉ）、スループットのレベル、スペクトル効率のレベル、レイテンシのレベルなどのしきい値レベルに関連づけられ、かつ／またはそのしきい値レベルを表すことができる。
【０１０３】
装置１７００は、ＲＵＭを重み付けするためのモジュール１７０４をさらに備えることができ、このモジュールは、第２のあらかじめ決定されたしきい値が超過されている程度を示す値を用いてＲＵＭを重み付けすることができ、このモジュールは、ターゲット値または望ましい値に対する、ノードにおいて達成されるパラメータ（例えば、干渉オーバーサーマル雑音（ＩＯＴ）、データレート、キャリア対干渉比（Ｃ／Ｉ）、スループットのレベル、スペクトル効率のレベル、レイテンシのレベルなど）の実際の値の割当て(ration)を決定することを備えることができる。さらに、重み付けされた値は、量子化された値とすることもできる。装置１７００は、アクセスポイント、アクセス端末などの中で使用されることができ、ここにおいて説明される様々な方法を実行する適切な任意の機能を備えることができることが認識されるであろう。
【０１０４】
図１８は、１つまたは複数の態様に従って、どのノードが最も不利な状況に置かれるかを決定するためにワイヤレス通信環境の中のノードにおける相対的な状態を比較することを容易にする装置１８００の説明図である。装置１８００は、一連の相互に関連した機能ブロックとして表され、これらの機能ブロックは、プロセッサ、ソフトウェア、またはそれらの組合せ（例えば、ファームウェア）によってインプリメントされる機能を表すことができる。例えば、装置１８００は、様々な図に関して上記されるような様々な動作を実行するためのモジュールを提供することができる。装置１８００は、第１のノードにおいて使用されることができ、少なくとも１つの第２のノードからＲＵＭを受信するＲＵＭを受信するためのモジュール１８０２を備える。装置１８００は、第２のノードから受信されるＲＵＭに関連する情報に基づいて第２のノードの状態を決定する決定するためのモジュール１８０４と、第２のノードの決定された状態と第１のノードの状態を比較する比較するためのモジュール１８０６とをさらに備えることができる。次いで決定するためのモジュール１８０４は、さらにその比較に基づいて第１のチャネル上でデータを送信すべきかどうかを決定することができる。
【０１０５】
様々な他の態様によれば、送信すべきかどうかの決定は、第１のノードの状態が、第２のノードの状態に比べてよりよいか、ほぼ等しいか、あるいはより悪いかに基づいたものとすることができる。さらに、決定するためのモジュール１８０４は、第１のチャネル上のデータ信号、第１のチャネル上の送信要求メッセージ、または第２のチャネル上の送信要求メッセージを送信することができる。後者の場合には、第２のチャネル上で送信される送信要求メッセージは、第１のチャネル上でのデータを送信する要求を備えることができる。装置１８００は、アクセスポイント、アクセス端末などの中で使用されることができ、ここにおいて説明される様々な方法を実行する適切な任意の機能を備えることができることが認識されるであろう。
【０１０６】
上記に説明されてきたものは、１つまたは複数の態様の例を含んでいる。前述の態様を説明する目的のためにコンポーネントまたは方法の、あらゆる考えられる組合せについて説明することは、もちろん可能ではないが、当業者は、様々な態様のさらなる多数の組合せ、および置換が可能であることを認識することができる。したがって、説明される態様は、添付の特許請求の範囲の精神および範囲の中に入るそのようなすべての変更、修正および変形を包含するように意図される。さらに、用語「含む(includes)」が、詳細な説明または特許請求の範囲のいずれかにおいて使用される範囲内において、そのような用語は、用語「備えている(comprising)」が請求項においてトランジショナルワード(transitional word)として使用されるときに解釈されるように、用語「備えている」と同様な方法で包含的であるように意図されている。
以下に、本願出願の当初の特許請求の範囲に記載された発明を付記する。
［Ｃ１］
ワイヤレス通信の方法であって、
第１のノードにおいて、第１のあらかじめ決定されたしきい値が満たされているあるいは超過されていることを示すリソース利用メッセージ（ＲＵＭ）を生成することと、
第２のあらかじめ決定されたしきい値が満たされているあるいは超過されている程度を示す値を用いて、前記ＲＵＭを重み付けすることと、
１つまたは複数の第２のノードに対して前記重み付けされたＲＵＭを送信することと、  を備える方法。
［Ｃ２］
前記第１のあらかじめ決定されたしきい値と、前記第２のあらかじめ決定されたしきい値とは、実質的に等しい、［Ｃ１］に記載の方法。
［Ｃ３］
前記第１のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１］に記載の方法。
［Ｃ４］
前記第２のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１］に記載の方法。
［Ｃ５］
前記第２のあらかじめ決定されたしきい値が超過される前記程度は、前記ノードにおいて達成される実際の値に対するターゲット値の比の関数として決定される、［Ｃ１］に記載の方法。
［Ｃ６］
前記ＲＵＭを重み付けすることは、前記ノードによってサポートされるすべてのフローについて達成される実際の値に対するターゲット値の比を計算することと、不利のより大きな程度を示す値を有する前記比を選択することと、を備える、［Ｃ１］に記載の方法。
［Ｃ７］
前記ノードは、アクセスポイントの中で使用される、［Ｃ１］に記載の方法。
［Ｃ８］
前記ノードは、アクセス端末の中で使用される、［Ｃ１］に記載の方法。
［Ｃ９］
前記値は、量子化された値である、［Ｃ１］に記載の方法。
［Ｃ１０］
ワイヤレス通信を容易にする装置であって、
第１のノードにおいて、第１のあらかじめ決定されたしきい値が満たされているあるいは超過されていることを示すリソース利用メッセージ（ＲＵＭ）を生成する生成モジュールと、
第２のあらかじめ決定されたしきい値が満たされているあるいは超過されている程度を示す値を用いて前記ＲＵＭを重み付けする重み付けモジュールと、
１つまたは複数の第２のノードに対して前記重み付けされたＲＵＭを送信する送信モジュールと、
を備える装置。
［Ｃ１１］
前記第１のあらかじめ決定されたしきい値と、前記第２のあらかじめ決定されたしきい値とは、実質的に等しい、［Ｃ１０］に記載の装置。
［Ｃ１２］
前記第１のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１０］に記載の装置。
［Ｃ１３］
前記第２のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１０］に記載の装置。
［Ｃ１４］
前記第２のあらかじめ決定されたしきい値が超過される前記程度は、前記ノードにおいて達成される実際の値に対するターゲット値の比の関数として決定される、［Ｃ１０］に記載の装置。
［Ｃ１５］
前記ＲＵＭの前記重み付けモジュールは、前記ノードによってサポートされるすべてのフローについて達成される実際の値に対するターゲット値の比を計算し、不利のより大きな程度を示す値を有する前記比を選択する、［Ｃ１０］に記載の装置。
［Ｃ１６］
前記ノードは、アクセスポイントの中で使用される、［Ｃ１０］に記載の装置。
［Ｃ１７］
前記ノードは、アクセス端末の中で使用される、［Ｃ１０］に記載の装置。
［Ｃ１８］
前記値は、量子化された値である、［Ｃ１０］に記載の装置。
［Ｃ１９］
ワイヤレス通信のための装置であって、
第１のノードにおいて、第１のあらかじめ決定されたしきい値が満たされているあるいは超過されていることを示すリソース利用メッセージ（ＲＵＭ）を生成するための手段と、
第２のあらかじめ決定されたしきい値が満たされているあるいは超過されている程度を示す値を用いて前記ＲＵＭを重み付けするための手段と、
１つまたは複数の第２のノードに対して前記重み付けされたＲＵＭを送信するための手段と、
を備える装置。
［Ｃ２０］
前記第１のあらかじめ決定されたしきい値と、前記第２のあらかじめ決定されたしきい値とは、実質的に等しい、［Ｃ１９］に記載の装置。
［Ｃ２１］
前記第１のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１９］に記載の装置。
［Ｃ２２］
前記第２のあらかじめ決定されたしきい値は、干渉オーバーサーマル雑音（ＩＯＴ）のレベル、データレート、キャリア対干渉比（Ｃ／Ｉ）、スループットのレベル、スペクトル効率のレベル、およびレイテンシのレベルのうちの少なくとも１つを表す、［Ｃ１９］に記載の装置。
［Ｃ２３］
前記第２のあらかじめ決定されたしきい値が超過される前記程度は、前記ノードにおいて達成される実際の値に対するターゲット値の比の関数として決定される、［Ｃ１９］に記載の装置。
［Ｃ２４］
前記ＲＵＭを重み付けするための前記手段は、前記ノードによってサポートされるすべてのフローについて達成される実際の値に対するターゲット値の比を計算し、不利のより大きな程度を示す値を有する前記比を選択する、［Ｃ１９］に記載の装置。
［Ｃ２５］
前記ノードは、アクセスポイントの中で使用される、［Ｃ１９］に記載の装置。
［Ｃ２６］
前記ノードは、アクセス端末の中で使用される、［Ｃ１９］に記載の装置。
［Ｃ２７］
前記値は、量子化された値である、［Ｃ１９］に記載の装置。
［Ｃ２８］
ワイヤレス通信のための命令を備える機械読取り可能媒体であって、前記命令は、実行されると、前記機械に、
第１のノードにおいて、第１のあらかじめ決定されたしきい値が満たされているあるいは超過されていることを示すリソース利用メッセージ（ＲＵＭ）を生成させ、
第２のあらかじめ決定されたしきい値が満たされているあるいは超過されている程度を示す値を用いて前記ＲＵＭを重み付けさせ、
１つまたは複数の第２のノードに対して前記重み付けされたＲＵＭを送信させる、
機械読取り可能媒体。
［Ｃ２９］
ワイヤレス通信を容易にするプロセッサであって、
第１のノードにおいて、第１のあらかじめ決定されたしきい値が満たされているあるいは超過されていることを示すリソース利用メッセージ（ＲＵＭ）を生成し、
第２のあらかじめ決定されたしきい値が満たされているあるいは超過されている程度を示す値を用いて前記ＲＵＭを重み付けし、
１つまたは複数の第２のノードに対して前記重み付けされたＲＵＭを送信する、
ように構成されているプロセッサ。
【図１】
0005420686.tif 000006
【図２】
0005420686.tif 000007
【図３】
0005420686.tif 000008
【図４】
0005420686.tif 000009
【図５】
0005420686.tif 000010
【図６】
0005420686.tif 000011
【図７】
0005420686.tif 000012
【図８】
0005420686.tif 000013
【図９】
0005420686.tif 000014
【図１０】
0005420686.tif 000015
【図１１】
0005420686.tif 000016
【図１２】
0005420686.tif 000017
【図１３】
0005420686.tif 000018
【図１４】
0005420686.tif 000019
【図１５】
0005420686.tif 000020
【図１６】
0005420686.tif 000021
【図１７】
0005420686.tif 000022
【図１８】
0005420686.tif 000023